(57)【要約】【課題】被検者が膵臓癌に罹患している可能性を試験するための方法及び試薬、膵臓癌と膵臓癌以外の膵臓疾患とを鑑別する方法及び試薬、並びに被検者が膵臓癌に罹患している可能性をモニタリングする方法及び試薬を提供する。【解決手段】被検者より採取した検体中の、エクソソームが有するＥＰＳ８（Ｅｐｉｄｅｒｍａｌ ｇｒｏｗｔｈ ｆａｃｔｏｒ Ｒｅｃｅｐｔｏｒ ｋｉｎａｓｅ ｓｕｂｓｔｒａｔｅ ８：上皮成長因子受容体キナーゼ  基質８）を測定することを特徴とする、被検者が膵臓癌に罹患している可能性を試験する方法。【選択図】図２
2018112496.tif 000002
【特許請求の範囲】
【請求項１】
被検者より採取した検体中の、エクソソームが有するＥＰＳ８（Ｅｐｉｄｅｒｍａｌ ｇｒｏｗｔｈ ｆａｃｔｏｒ Ｒｅｃｅｐｔｏｒ ｋｉｎａｓｅ ｓｕｂｓｔｒａｔｅ ８：上皮成長因子受容体キナーゼ  基質８）を測定することを特徴とする、被検者が膵臓癌に罹患している可能性を試験する方法。
【請求項２】
以下の工程を含むことを特徴とする、請求項１に記載の方法。
（１）被検者より検体を採取する工程；
（２）工程（１）で採取した検体中の、エクソソームが有するＥＰＳ８の濃度を測定する工程；
（３）工程（２）で測定したＥＰＳ８濃度が、健常者より採取した検体中の、エクソソームが有するＥＰＳ８濃度よりも高い場合には該被検者は膵臓癌に罹患している可能性が高いと判定し、健常者より採取した検体中の、エクソソームが有するＥＰＳ８濃度と同じか又は低い場合には該被検者は膵臓癌に罹患している可能性は低いと判定する工程
【請求項３】
前記工程（２）において、前記工程（１）で採取した検体中の、エクソソームが有するＥＰＳ８の濃度の測定が、検体より単離されたエクソソームを用いて行われる、請求項２に記載の方法。
【請求項４】
前記工程（２）が免疫学的測定法によって行われる、請求項２又は３に記載の方法。
【請求項５】
前記免疫学的測定法が、ＥＰＳ８に結合する抗体又は該抗体断片を用いて行われる、請求項４に記載の方法。
【請求項６】
前記免疫学的測定法が、ＥＰＳ８に結合する抗体又は該抗体断片、及びエクソソームに特異的に発現する抗原（以下、エクソソーム特異的抗原という）に結合する抗体又は該抗体断片を用いて行われる、請求項４に記載の方法。
【請求項７】
前記エクソソーム特異的抗原が、ＣＤ６３、ＣＤ９、ＣＤ８１、ＣＤ３７、ＣＤ５３、ＣＤ８２、ＣＤ１３、ＣＤ１１、ＣＤ８６、ＩＣＡＭ−１、Ｒａｂ５、Ａｎｎｅｘｉｎ  Ｖ、又はＬＡＭＰ１である、請求項６に記載の方法。
【請求項８】
前記検体が、血液である、請求項１〜７のいずれか一項に記載の方法。
【請求項９】
膵臓疾患患者より採取した検体中の、エクソソームが有するＥＰＳ８（Ｅｐｉｄｅｒｍａｌ ｇｒｏｗｔｈ ｆａｃｔｏｒ Ｒｅｃｅｐｔｏｒ ｋｉｎａｓｅ ｓｕｂｓｔｒａｔｅ ８：上皮成長因子受容体キナーゼ  基質８）を測定することを特徴とする、膵臓疾患患者において、膵臓癌と膵臓癌以外の膵臓疾患とを鑑別する方法。
【請求項１０】
以下の工程を含むことを特徴とする、請求項９に記載の方法。
（１）被検者より検体を採取する工程；
（２）工程（１）で採取した検体中の、エクソソームが有するＥＰＳ８の濃度を測定する工程；
（３）工程（２）で測定したＥＰＳ８濃度が、膵臓癌以外の膵臓疾患患者より採取した検体中の、エクソソームが有するＥＰＳ８濃度よりも高い場合には該被検者は膵臓癌に罹患している可能性が高いと判定し、膵臓癌以外の膵臓疾患患者より採取した検体中の、エクソソームが有するＥＰＳ８濃度と同じか又は低い場合には該被検者は膵臓癌以外の膵臓疾患に罹患している可能性が高いと判定する工程
【請求項１１】
前記工程（２）において、前記工程（１）で採取した検体中の、エクソソームが有するＥＰＳ８の濃度の測定が、検体より単離されたエクソソームを用いて行われる、請求項１０に記載の方法。
【請求項１２】
前記工程（２）が免疫学的測定法によって行われる、請求項１０又は１１に記載の方法。
【請求項１３】
前記免疫学的測定法が、ＥＰＳ８に結合する抗体又は該抗体断片を用いて行われる、請求項１２に記載の方法。
【請求項１４】
前記免疫学的測定法が、ＥＰＳ８に結合する抗体又は該抗体断片、及びエクソソームに特異的に発現する抗原（以下、エクソソーム特異的抗原という）に結合する抗体又は該抗体断片を用いて行われる、請求項１２に記載の方法。
【請求項１５】
前記エクソソーム特異的抗原が、ＣＤ６３、ＣＤ９、ＣＤ８１、ＣＤ３７、ＣＤ５３、ＣＤ８２、ＣＤ１３、ＣＤ１１、ＣＤ８６、ＩＣＡＭ−１、Ｒａｂ５、Ａｎｎｅｘｉｎ  Ｖ、又はＬＡＭＰ１である、請求項１４に記載の方法。
【請求項１６】
前記膵臓癌以外の膵臓疾患が、膵炎である、請求項９〜１５のいずれか一項に記載の方法。
【請求項１７】
前記検体が、血液である、請求項９〜１６のいずれか一項に記載の方法。
【請求項１８】
被検者より経時的に採取した検体中の、エクソソームが有するＥＰＳ８（Ｅｐｉｄｅｒｍａｌ ｇｒｏｗｔｈ ｆａｃｔｏｒ Ｒｅｃｅｐｔｏｒ ｋｉｎａｓｅ ｓｕｂｓｔｒａｔｅ ８：上皮成長因子受容体キナーゼ  基質８）を測定することを特徴とする、被検者が膵臓癌に罹患している可能性をモニタリングする方法。
【請求項１９】
以下の工程を含むことを特徴とする、請求項１８に記載の方法。
（１）被検者より経時的に検体を採取する工程；
（２）工程（１）で採取した検体中の、エクソソームが有するＥＰＳ８の濃度を測定する工程；
（３）工程（２）で測定したＥＰＳ８濃度が、健常者より採取した検体中の、エクソソームが有するＥＰＳ８濃度よりも高い濃度で維持されている場合には該被検者は膵臓癌に罹患している可能性が高いと判定し、健常者より採取した検体中の、エクソソームが有するＥＰＳ８濃度と同じか又は低い濃度で維持されている場合には該被検者は膵臓癌に罹患している可能性は低いと判定する工程。
【請求項２０】
前記工程（２）において、前記工程（１）で採取した検体中の、エクソソームが有するＥＰＳ８の濃度の測定が、検体より単離されたエクソソームを用いて行われる、請求項１９記載の方法。
【請求項２１】
前記工程（２）が免疫学的測定法によって行われる、請求項１９又は２０に記載の方法。
【請求項２２】
前記免疫学的測定法が、ＥＰＳ８に結合する抗体又は該抗体断片を用いて行われる、請求項２１に記載の方法。
【請求項２３】
前記免疫学的測定法が、ＥＰＳ８に結合する抗体又は該抗体断片、及びエクソソームに特異的に発現する抗原（以下、エクソソーム特異的抗原という）に結合する抗体又は該抗体断片を用いて行われる、請求項２１に記載の方法。
【請求項２４】
前記エクソソーム特異的抗原が、ＣＤ６３、ＣＤ９、ＣＤ８１、ＣＤ３７、ＣＤ５３、ＣＤ８２、ＣＤ１３、ＣＤ１１、ＣＤ８６、ＩＣＡＭ−１、Ｒａｂ５、Ａｎｎｅｘｉｎ  Ｖ、又はＬＡＭＰ１である、請求項２３に記載の方法。
【請求項２５】
前記検体が、血液である、請求項１８〜２４のいずれか一項に記載の方法。
【請求項２６】
被検者より採取した検体中の、エクソソームが有するＥＰＳ８（Ｅｐｉｄｅｒｍａｌ ｇｒｏｗｔｈ ｆａｃｔｏｒ Ｒｅｃｅｐｔｏｒ ｋｉｎａｓｅ ｓｕｂｓｔｒａｔｅ ８：上皮成長因子受容体キナーゼ  基質８）測定試薬を含むことを特徴とする、被検者が膵臓癌に罹患している可能性を試験するための試薬。
【請求項２７】
前記ＥＰＳ８測定試薬が、免疫学的測定試薬である、請求項２６に記載の試薬。
【請求項２８】
前記免疫学的測定試薬が、ＥＰＳ８に結合する抗体又は該抗体断片を含む、請求項２７に記載の試薬。
【請求項２９】
前記免疫学的測定試薬が、さらに、エクソソームに特異的に発現する抗原（以下、エクソソーム特異的抗原という）に結合する抗体又は該抗体断片を含む、請求項２８に記載の試薬。
【請求項３０】
前記エクソソーム特異的抗原が、ＣＤ６３、ＣＤ９、ＣＤ８１、ＣＤ３７、ＣＤ５３、ＣＤ８２、ＣＤ１３、ＣＤ１１、ＣＤ８６、ＩＣＡＭ−１、Ｒａｂ５、Ａｎｎｅｘｉｎ  Ｖ、又はＬＡＭＰ１である、請求項２９に記載の試薬。
【請求項３１】
さらに、エクソソーム単離試薬を含む、請求項２６〜３０のいずれか一項に記載の試薬。
【請求項３２】
前記検体が、血液である、請求項２６〜３１のいずれか一項に記載の試薬。
【請求項３３】
被検者より採取した検体中の、エクソソームが有するＥＰＳ８（Ｅｐｉｄｅｒｍａｌ ｇｒｏｗｔｈ ｆａｃｔｏｒ Ｒｅｃｅｐｔｏｒ ｋｉｎａｓｅ ｓｕｂｓｔｒａｔｅ ８：上皮成長因子受容体キナーゼ  基質８）測定試薬を含むことを特徴とする、膵臓癌患者と膵臓癌以外の膵臓疾患患者とを鑑別するための試薬。
【請求項３４】
前記ＥＰＳ８測定試薬が、免疫学的測定試薬である、請求項３３に記載の試薬。
【請求項３５】
前記免疫学的測定試薬が、ＥＰＳ８に結合する抗体又は該抗体断片を含む、請求項３４に記載の試薬。
【請求項３６】
前記免疫学的測定試薬が、さらに、エクソソームに特異的に発現する抗原（以下、エクソソーム特異的抗原という）に結合する抗体又は該抗体断片を含む、請求項３５に記載の試薬。
【請求項３７】
前記エクソソーム特異的抗原が、ＣＤ６３、ＣＤ９、ＣＤ８１、ＣＤ３７、ＣＤ５３、ＣＤ８２、ＣＤ１３、ＣＤ１１、ＣＤ８６、ＩＣＡＭ−１、Ｒａｂ５、Ａｎｎｅｘｉｎ  Ｖ、又はＬＡＭＰ１である、請求項３６に記載の試薬。
【請求項３８】
さらに、エクソソーム単離試薬を含む、請求項３３〜３７のいずれか一項に記載の試薬。
【請求項３９】
前記膵臓癌以外の膵臓疾患が、膵炎である、請求項３３〜３８のいずれか一項に記載の試薬。
【請求項４０】
前記検体が、血液である、請求項３３〜３９のいずれか一項に記載の試薬。
【請求項４１】
被検者より経時的に採取した検体中の、エクソソームが有するＥＰＳ８（Ｅｐｉｄｅｒｍａｌ ｇｒｏｗｔｈ ｆａｃｔｏｒ Ｒｅｃｅｐｔｏｒ ｋｉｎａｓｅ ｓｕｂｓｔｒａｔｅ ８：上皮成長因子受容体キナーゼ  基質８）測定試薬を含むことを特徴とする、被検者が膵臓癌に罹患している可能性をモニタリングするための試薬。
【請求項４２】
前記ＥＰＳ８測定試薬が、免疫学的測定試薬である、請求項４１に記載の試薬。
【請求項４３】
前記免疫学的測定試薬が、ＥＰＳ８に結合する抗体又は該抗体断片を含む、請求項４２に記載の試薬。
【請求項４４】
前記免疫学的測定試薬が、さらに、エクソソームに特異的に発現する抗原（以下、エクソソーム特異的抗原という）に結合する抗体又は該抗体断片を含む、請求項４３に記載の試薬。
【請求項４５】
前記エクソソーム特異的抗原が、ＣＤ６３、ＣＤ９、ＣＤ８１、ＣＤ３７、ＣＤ５３、ＣＤ８２、ＣＤ１３、ＣＤ１１、ＣＤ８６、ＩＣＡＭ−１、Ｒａｂ５、Ａｎｎｅｘｉｎ  Ｖ、又はＬＡＭＰ１である、請求項４４に記載の試薬。
【請求項４６】
さらに、エクソソーム単離試薬を含む、請求項４１〜４５のいずれか一項に記載の試薬。
【請求項４７】
前記検体が、血液である、請求項４１〜４６のいずれか一項に記載の試薬。
【発明の詳細な説明】
【技術分野】
【０００１】
本発明は、被検者が膵臓癌に罹患している可能性を試験する方法、膵臓癌と膵臓癌以外の膵臓疾患とを鑑別する方法、被検者が膵臓癌に罹患している可能性をモニタリングする方法、被検者が膵臓癌に罹患している可能性を試験するための試薬、膵臓癌と膵臓癌以外の膵臓疾患とを鑑別するための試薬、及び被検者が膵臓癌に罹患している可能性をモニタリングするための試薬に関する。
【背景技術】
【０００２】
エクソソームは、生体内の体液中に存在する小胞顆粒である。エクソソーム表面には、一般的な細胞表面と同様に、種々の膜タンパク質が存在することが知られている。また、エクソソームは、種々の細胞、例えば免疫系の細胞や各種がん細胞から分泌されることが報告されており、生体内の細胞間コミュニケーションの媒介役として機能し生理現象と関連することや、がんなどの疾患との関連性が注目されている。
【０００３】
近年、エクソソーム表面に特定抗原（ＣＤ９、ＣＤ６３、ＣＤ１４７）を発現するエクソソーム量を測定することによる大腸がんの検出方法（特許文献１）、卵巣がん患者において、がんの進行に伴い血液中のエクソソーム量が増大すること（非特許文献１）等がこれまでに報告されている。
【０００４】
また、エクソソームが有する成分の測定方法としては、エクソソームが有する第１抗原と特異的に結合する第１抗体、及び、エクソソームが有する第２抗原と特異的に結合する第２抗体を用いる免疫測定方法が知られている（特許文献２）。
ＥＰＳ８（Ｅｐｉｄｅｒｍａｌ ｇｒｏｗｔｈ ｆａｃｔｏｒ Ｒｅｃｅｐｔｏｒ ｋｉｎａｓｅ ｓｕｂｓｔｒａｔｅ ８：上皮成長因子受容体キナーゼ  基質８）は上皮成長因子受容体の基質であって、Ｒａｃを活性化させる因子であること、及び、膵臓癌患者の組織で高発現していることが報告されている（非特許文献２）。
【先行技術文献】
【特許文献】
【０００５】
【特許文献１】国際公開第２０１４／１６７９６９号
【特許文献２】国際公開第２０１３／０９４３０７号
【非特許文献】
【０００６】
【非特許文献１】Taylor., et al., Gynecologic  Oncol, 100(2008)  pp13-21
【非特許文献２】T. Welsch., et al.,  Cancer  Letters,  255(2007)  pp205-218
【発明の概要】
【発明が解決しようとする課題】
【０００７】
本発明の目的は、被検者が膵臓癌に罹患している可能性を試験するための方法及び試薬、膵臓癌と膵臓癌以外の膵臓疾患とを鑑別する方法及び試薬、並びに被検者が膵臓癌に罹患している可能性をモニタリングする方法及び試薬を提供することにある。
【課題を解決するための手段】
【０００８】
本発明者らは、上記課題を解決すべく鋭意検討した結果、被検者より採取した検体中の、ＥＰＳ８、特にエクソソームが有するＥＰＳ８を測定することにより、被検者が膵臓癌に罹患している可能性を判定でき、さらに膵臓癌患者と膵臓癌以外の膵臓疾患患者より採取した検体中の、エクソソームが有するＥＰＳ８を測定することにより、膵臓癌と膵臓癌以外の膵臓疾患とを鑑別でき、さらに、被検者が膵臓癌に罹患している可能性をモニタリングすることができることを見出し、本発明を完成した。すなわち、本発明は、以下の［１］〜［４７］に関する。
【０００９】
［１］被検者より採取した検体中の、エクソソームが有するＥＰＳ８を測定することを特徴とする、被検者が膵臓癌に罹患している可能性を試験する方法。
［２］以下の工程を含むことを特徴とする、［１］に記載の方法。
（１）被検者より検体を採取する工程；
（２）工程（１）で採取した検体中の、エクソソームが有するＥＰＳ８の濃度を測定する工程；
（３）工程（２）で測定したＥＰＳ８濃度が、健常者より採取した検体中の、エクソソームが有するＥＰＳ８濃度よりも高い場合には該被検者は膵臓癌に罹患している可能性が高いと判定し、健常者より採取した検体中の、エクソソームが有するＥＰＳ８濃度と同じか又は低い場合には該被検者は膵臓癌に罹患している可能性は低いと判定する工程
［３］前記工程（２）において、前記工程（１）で採取した検体中の、エクソソームが有するＥＰＳ８の濃度の測定が、検体より単離されたエクソソームを用いて行われる、［２］に記載の方法。
［４］前記工程（２）が免疫学的測定法によって行われる、［２］又は［３］に記載の方法。
［５］前記免疫学的測定法が、ＥＰＳ８に結合する抗体又は該抗体断片を用いて行われる、［４］に記載の方法。
［６］前記免疫学的測定法が、ＥＰＳ８に結合する抗体又は該抗体断片、及びエクソソームに特異的に発現する抗原（以下、エクソソーム特異的抗原という）に結合する抗体又は該抗体断片を用いて行われる、［４］に記載の方法。
［７］前記エクソソーム特異的抗原が、ＣＤ６３、ＣＤ９、ＣＤ８１、ＣＤ３７、ＣＤ５３、ＣＤ８２、ＣＤ１３、ＣＤ１１、ＣＤ８６、ＩＣＡＭ−１、Ｒａｂ５、Ａｎｎｅｘｉｎ  Ｖ、又はＬＡＭＰ１である、［６］に記載の方法。
［８］前記検体が、血液である、［１］〜［７］のいずれか一つに記載の方法。
【００１０】
［９］膵臓疾患患者より採取した検体中の、エクソソームが有するＥＰＳ８を測定することを特徴とする、膵臓疾患患者において、膵臓癌と膵臓癌以外の膵臓疾患とを鑑別する方法。
［１０］  以下の工程を含むことを特徴とする、［９］に記載の方法。
（１）被検者より検体を採取する工程；
（２）工程（１）で採取した検体中の、エクソソームが有するＥＰＳ８の濃度を測定する工程；
（３）工程（２）で測定したＥＰＳ８濃度が、膵臓癌以外の膵臓疾患患者より採取した検体中の、エクソソームが有するＥＰＳ８濃度よりも高い場合には該被検者は膵臓癌に罹患している可能性が高いと判定し、膵臓癌以外の膵臓疾患患者より採取した検体中の、エクソソームが有するＥＰＳ８濃度と同じか又は低い場合には該被検者は膵臓癌以外の膵臓疾患に罹患している可能性が高いと判定する工程
［１１］前記工程（２）において、前記工程（１）で採取した検体中の、エクソソームが有するＥＰＳ８の濃度の測定が、検体より単離されたエクソソームを用いて行われる、［１０］に記載の方法。
［１２］前記工程（２）が免疫学的測定法によって行われる、［１０］又は［１１］に記載の方法。
［１３］前記免疫学的測定法が、ＥＰＳ８に結合する抗体又は該抗体断片を用いて行われる、［１２］に記載の方法。
［１４］前記免疫学的測定法が、ＥＰＳ８に結合する抗体又は該抗体断片、及びエクソソーム特異的抗原に結合する抗体又は該抗体断片を用いて行われる、［１２］に記載の方法。
［１５］前記エクソソーム特異的抗原が、ＣＤ６３、ＣＤ９、ＣＤ８１、ＣＤ３７、ＣＤ５３、ＣＤ８２、ＣＤ１３、ＣＤ１１、ＣＤ８６、ＩＣＡＭ−１、Ｒａｂ５、Ａｎｎｅｘｉｎ  Ｖ、又はＬＡＭＰ１である、［１４］に記載の方法。
［１６］前記膵臓癌以外の膵臓疾患が、膵炎である、［９］〜［１５］のいずれか一つに記載の方法。
［１７］前記検体が、血液である、［９］〜［１６］のいずれか一つに記載の方法。
【００１１】
［１８］被検者より経時的に採取した検体中の、エクソソームが有するＥＰＳ８を測定することを特徴とする、被検者が膵臓癌に罹患している可能性をモニタリングする方法。
［１９］以下の工程を含むことを特徴とする、［１８］に記載の方法。
（１）被検者より経時的に検体を採取する工程；
（２）工程（１）で採取した検体中の、エクソソームが有するＥＰＳ８の濃度を測定する工程；
（３）工程（２）で測定したＥＰＳ８濃度が、健常者より採取した検体中の、エクソソームが有するＥＰＳ８濃度よりも高い濃度で維持されている場合には該被検者は膵臓癌に罹患している可能性が高いと判定し、健常者より採取した検体中の、エクソソームが有するＥＰＳ８濃度と同じか又は低い濃度で維持されている場合には該被検者は膵臓癌に罹患している可能性は低いと判定する工程。
［２０］前記工程（２）において、前記工程（１）で採取した検体中の、エクソソームが有するＥＰＳ８の濃度の測定が、検体より単離されたエクソソームを用いて行われる、［１９］記載の方法。
［２１］前記工程（２）が免疫学的測定法によって行われる、［１９］又は［２０］に記載の方法。
［２２］前記免疫学的測定法が、ＥＰＳ８に結合する抗体又は該抗体断片を用いて行われる、［２１］に記載の方法。
［２３］前記免疫学的測定法が、ＥＰＳ８に結合する抗体又は該抗体断片、及びエクソソーム特異的抗原に結合する抗体又は該抗体断片を用いて行われる、［２１］に記載の方法。
［２４］前記エクソソーム特異的抗原が、ＣＤ６３、ＣＤ９、ＣＤ８１、ＣＤ３７、ＣＤ５３、ＣＤ８２、ＣＤ１３、ＣＤ１１、ＣＤ８６、ＩＣＡＭ−１、Ｒａｂ５、Ａｎｎｅｘｉｎ  Ｖ、又はＬＡＭＰ１である、［２３］に記載の方法。
［２５］前記検体が、血液である、［１８］〜［２４］のいずれか一つに記載の方法。
【００１２】
［２６］被検者より採取した検体中の、エクソソームが有するＥＰＳ８測定試薬を含むことを特徴とする、被検者が膵臓癌に罹患している可能性を試験するための試薬。
［２７］前記ＥＰＳ８測定試薬が、免疫学的測定試薬である、［２６］に記載の試薬。
［２８］前記免疫学的測定試薬が、ＥＰＳ８に結合する抗体又は該抗体断片を含む、［２７］に記載の試薬。
［２９］前記免疫学的測定試薬が、さらに、エクソソーム特異的抗原に結合する抗体又は該抗体断片を含む、［２８］に記載の試薬。
［３０］前記エクソソーム特異的抗原が、ＣＤ６３、ＣＤ９、ＣＤ８１、ＣＤ３７、ＣＤ５３、ＣＤ８２、ＣＤ１３、ＣＤ１１、ＣＤ８６、ＩＣＡＭ−１、Ｒａｂ５、Ａｎｎｅｘｉｎ  Ｖ、又はＬＡＭＰ１である、［２９］に記載の試薬。
［３１］さらに、エクソソーム単離試薬を含む、［２６］〜［３０］のいずれか一つに記載の試薬。
［３２］前記検体が、血液である、［２６］〜［３１］のいずれか一つに記載の試薬。
【００１３】
［３３］被検者より採取した検体中の、エクソソームが有するＥＰＳ８測定試薬を含むことを特徴とする、膵臓癌患者と膵臓癌以外の膵臓疾患患者とを鑑別するための試薬。
［３４］前記ＥＰＳ８測定試薬が、免疫学的測定試薬である、［３３］に記載の試薬。
［３５］前記免疫学的測定試薬が、ＥＰＳ８に結合する抗体又は該抗体断片を含む、［３４］に記載の試薬。
［３６］前記免疫学的測定試薬が、さらに、エクソソーム特異的抗原に結合する抗体又は該抗体断片を含む、［３５］に記載の試薬。
［３７］前記エクソソーム特異的抗原が、ＣＤ６３、ＣＤ９、ＣＤ８１、ＣＤ３７、ＣＤ５３、ＣＤ８２、ＣＤ１３、ＣＤ１１、ＣＤ８６、ＩＣＡＭ−１、Ｒａｂ５、Ａｎｎｅｘｉｎ  Ｖ、又はＬＡＭＰ１である、［３６］に記載の試薬。
［３８］さらに、エクソソーム単離試薬を含む、［３３］〜［３７］のいずれか一つに記載の試薬。
［３９］前記膵臓癌以外の膵臓疾患が、膵炎である、［３３］〜［３８］のいずれか一つに記載の試薬。
［４０］前記検体が、血液である、［３３］〜［３９］のいずれか一つに記載の試薬。
【００１４】
［４１］被検者より経時的に採取した検体中の、エクソソームが有するＥＰＳ８測定試薬を含むことを特徴とする、被検者が膵臓癌に罹患している可能性をモニタリングするための試薬。
［４２］前記ＥＰＳ８測定試薬が、免疫学的測定試薬である、［４１］に記載の試薬。
［４３］前記免疫学的測定試薬が、ＥＰＳ８に結合する抗体又は該抗体断片を含む、［４２］に記載の試薬。
［４４］前記免疫学的測定試薬が、さらに、エクソソーム特異的抗原に結合する抗体又は該抗体断片を含む、［４３］に記載の試薬。
［４５］前記エクソソーム特異的抗原が、ＣＤ６３、ＣＤ９、ＣＤ８１、ＣＤ３７、ＣＤ５３、ＣＤ８２、ＣＤ１３、ＣＤ１１、ＣＤ８６、ＩＣＡＭ−１、Ｒａｂ５、Ａｎｎｅｘｉｎ  Ｖ、又はＬＡＭＰ１である、［４４］に記載の試薬。
［４６］さらに、エクソソーム単離試薬を含む、［４１］〜［４５］のいずれか一つに記載の試薬。
［４７］前記検体が、血液である、［４１］〜［４６］のいずれか一つに記載の試薬。
【発明の効果】
【００１５】
本発明により、被検者が膵臓癌に罹患している可能性を試験するための方法及び試薬、膵臓癌と膵臓癌以外膵臓疾患とを鑑別するための方法及び試薬、並びに被検者が膵臓癌に罹患している可能性をモニタリングするための方法及び試薬が提供される。
【図面の簡単な説明】
【００１６】
【図１】健常人（４検体）、膵炎患者（４検体）、膵臓癌患者（４検体）から採取された血清中のエクソソームを用いて、ウェスタンブロット法により、ＥＰＳ８（９７ｋＤ）、及び、エクソソーム特異的抗原であるＣＤ６３を検出した結果である。
【図２】健常人（10検体）、膵炎患者（10検体）、及び膵臓癌患者（23検体）から採取した血清中のエクソソームを用いて、それぞれの血清中のエクソソームが有するＥＰＳ８量を比較した結果である。縦軸は、ウェスタンブロット法で得られたＥＰＳ８のシグナル及びＣＤ６３のシグナルから算出した、ＥＰＳ８／ＣＤ６３のシグナル比を示す。
【図３】手術前及び手術後の膵臓癌患者（ステージIB：1検体、ステージIIB：2検体、ステージIII：2検体）から採取した血清中のエクソソームを用いて、ウェスタンブロット法により、ＥＰＳ８（９７ｋＤ）を検出した結果である。
【図４】再発した膵臓癌患者（22検体）及び健常人（2検体）から採取した血清中のエクソソームを用いて、それぞれの血清中のエクソソームが有するＥＰＳ８量を比較した結果である。縦軸は、ウェスタンブロット法で得られたＥＰＳ８のシグナル及びＣＤ９のシグナルから算出した、ＥＰＳ８／ＣＤ９のシグナル比を示す。
【発明を実施するための形態】
【００１７】
１．被検者が膵臓癌に罹患している可能性を試験する方法
本発明の、被検者が膵臓癌に罹患している可能性を試験する方法は、被検者より採取した検体中の、エクソソームが有するＥＰＳ８の濃度を測定することを特徴とする方法である。
【００１８】
本発明におけるエクソソームとは、動物細胞から分泌される直径３０〜１００ｎｍの脂質二重膜で覆われた膜小胞である。
本発明における検体としては、エクソソームが有するＥＰＳ８が測定され得る検体であれば特に制限はなく、例えば血液、尿、唾液、乳汁、鼻汁、脳脊髄液等が挙げられ、血液が好ましい。前記血液としては、例えば、全血、血清、血漿等が挙げられ、血清が好ましい。
【００１９】
本発明において、エクソソームが有するＥＰＳ８とは、エクソソームに内包されているＥＰＳ８、エクソソームの膜表面に存在しているＥＰＳ８、エクソソームの膜を貫通しているＥＰＳ８等の何れの形態のＥＰＳ８をも意味する。
本発明において、エクソソームが有するＥＰＳ８濃度とは、単位容量あたりの質量又はモル数のみならず、単位容量あたりのシグナル強度をも包含する。
【００２０】
［測定方法１］
本発明において、被検者が膵臓癌に罹患している可能性を試験する方法は、以下の工程を含む方法により行うことができる。
（１）被検者より検体を採取する工程；
（２）工程（１）で採取した検体中の、エクソソームが有するＥＰＳ８の濃度を測定する工程；
（３）工程（２）で測定したＥＰＳ８濃度が、健常者より採取した検体中の、エクソソームが有するＥＰＳ８濃度よりも高い場合には被検者は膵臓癌に罹患している可能性が高いと判定し、健常者より採取した検体中の、エクソソームが有するＥＰＳ８濃度と同じか又は低い場合には被検者は膵臓癌に罹患している可能性は低いと判定する工程。
以下、各工程について詳細に説明する。
【００２１】
＜工程（１）＞
工程（１）において、被検者より採取された検体としては、前述の検体等が挙げられる。
【００２２】
＜工程（２）＞
工程（２）は、工程（１）で採取された検体中の、エクソソームが有するＥＰＳ８濃度を測定する工程である。工程（１）で採取された検体中の、エクソソームが有するＥＰＳ８濃度は、例えば、免疫学的測定法によって測定することができる。免疫学的測定法としては、検体中の、エクソソームが有するＥＰＳ８の濃度を抗原抗体反応を用いて測定できる方法であれば如何なる方法でも用いることができ、例えば、ＥＰＳ８に結合する抗体又は該抗体断片、及び、ＥＰＳ８に結合する抗体又は該抗体断片と、エクソソーム特異的抗原に結合する抗体又は該抗体断片とを用いる方法等が挙げられる。
【００２３】
工程（２）におけるＥＰＳ８に結合する抗体としては、ＥＰＳ８を測定できる抗体であれば特に制限はなく、例えば、Ｐｕｒｉｆｉｅｄ Ｍｏｕｓｅ Ａｎｔｉ−Ｅｐｓ８（日本ベクトン・ディッキンソン社製、クローン：１５／Ｅｐｓ８）等が挙げられる。
【００２４】
工程（２）におけるエクソソーム特異的抗原としては、例えば、ＣＤ６３、ＣＤ９、ＣＤ８１、ＣＤ３７、ＣＤ５３、ＣＤ８２、ＣＤ１３、ＣＤ１１、ＣＤ８６、ＩＣＡＭ−Ｉ、Ｒａｂ５、ＡｎｎｅｘｉｎＶ、ＬＡＭＰ１等が挙げられる。
【００２５】
エクソソーム特異的抗原に結合する抗体としては、エクソソーム特異的抗原に結合できる抗体であれば特に制限はなく、Ｐｕｒｉｆｉｅｄ Ｍｏｕｓｅ Ａｎｔｉ−Ｈｕｍａｎ ＣＤ６３（日本ベクトン・ディッキンソン社製、クローン：Ｈ５Ｃ６）、Ｐｕｒｉｆｉｅｄ Ｍｏｕｓｅ Ａｎｔｉ−Ｈｕｍａｎ ＣＤ９（日本ベクトン・ディッキンソン社製、クローン：Ｍ−Ｌ１３）、Ｐｕｒｉｆｉｅｄ Ｍｏｕｓｅ Ａｎｔｉ−Ｈｕｍａｎ ＣＤ８１（日本ベクトン・ディッキンソン社製、クローン：ＪＳ−８１）、Ｐｕｒｉｆｉｅｄ Ｍｏｕｓｅ Ａｎｔｉ−Ｈｕｍａｎ ＣＤ３７（日本ベクトン・ディッキンソン社製、クローン：Ｍ−Ｂ３７１）、Ｐｕｒｉｆｉｅｄ Ｍｏｕｓｅ Ａｎｔｉ−Ｈｕｍａｎ ＣＤ５３（日本ベクトン・ディッキンソン社製、クローン：ＨＩ２９）、Ａｎｔｉ−ＣＤ８２ ａｎｔｉｂｏｄｙ［Ｃ３３］（アブカム社製）、Ｐｕｒｉｆｉｅｄ Ｍｏｕｓｅ Ａｎｔｉ−Ｈｕｍａｎ ＣＤ１３（日本ベクトン・ディッキンソン社製、クローン：ＷＭ１５）、Ｐｕｒｉｆｉｅｄ Ｍｏｕｓｅ Ａｎｔｉ−Ｈｕｍａｎ ＣＤ１１ａ（日本ベクトン・ディッキンソン社製、クローン：２７／ＣＤ１１ａ）、Ｐｕｒｉｆｉｅｄ Ｍｏｕｓｅ Ａｎｔｉ−Ｈｕｍａｎ ＣＤ１１ｂ／Ｍａｃ−１（日本ベクトン・ディッキンソン社製、クローン：ＩＣＲＦ４４）、Ｐｕｒｉｆｉｅｄ Ｍｏｕｓｅ Ａｎｔｉ−Ｈｕｍａｎ ＣＤ１１ｃ（日本ベクトン・ディッキンソン社製、クローン：３．９）、Ｐｕｒｉｆｉｅｄ Ｍｏｕｓｅ Ａｎｔｉ−Ｈｕｍａｎ ＣＤ８６（日本ベクトン・ディッキンソン社製、クローン：２３３１ (ＦＵＮ−１)）、Ａｎｔｉ−ＩＣＡＭ１ ａｎｔｉｂｏｄｙ［ＨＭ１］（アブカム社製）、Ｐｕｒｉｆｉｅｄ Ｍｏｕｓｅ Ａｎｔｉ−Ｒａｂ５（日本ベクトン・ディッキンソン社製、クローン：１／Ｒａｂ５）、Ａｎｔｉ−Ａｎｎｅｘｉｎ Ｖ ａｎｔｉｂｏｄｙ［ＥＰＲ３９７９］（アブカム社製）、Ｐｕｒｉｆｉｅｄ  Ｍｏｕｓｅ  Ａｎｔｉ−Ｈｕｍａｎ  Ｌａｍｐ−１（日本ベクトン・ディッキンソン社製、クローン：２５／Ｌａｍｐ−１）等が挙げられる。
【００２６】
工程（２）におけるＥＰＳ８に結合する抗体断片、エクソソーム特異的抗原に結合する抗体断片としては、それぞれＥＰＳ８、エクソソーム特異的抗原を測定できる抗体断片であれば特に制限はなく、例えば抗体をパパイン処理により得られるＦａｂ、ペプシン処理により得られるＦ（ａｂ’）２、ペプシン処理−還元処理により得られるＦａｂ’等のＦｃ部分が除去された抗体断片、遺伝子工学的手法によりＦｃ部分が除去された抗体断片等が挙げられる。
【００２７】
工程（２）の、検体中の、エクソソームが有するＥＰＳ８濃度は、サンドイッチＥＬＩＳＡや後述のエクソスクリーン法等により測定することができる。サンドイッチＥＬＩＳＡにおいて、エクソソームが有するＥＰＳ８濃度の測定に用いる上記２種類の抗体のうち、エクソソーム特異的抗原に結合する抗体又は該抗体断片を固相用抗体として、ＥＰＳ８に結合する抗体又は該抗体断片を標識用抗体として用いることができる。あるいは、ＥＰＳ８に結合する抗体又は該抗体断片を固相用抗体として、エクソソーム特異的抗原に結合する抗体又は該抗体断片を標識用抗体として用いることもできる。固相用抗体及び標識用抗体の調製は、特に限定はなく、公知の方法に従って行うことができる。
【００２８】
エクソソームが有するＥＰＳ８の測定方法は、エクソソームが有するＥＰＳ８を測定し得る方法であれば、如何なる方法を用いて行うことができ、例えば免疫学的測定法等の方法を用いて行うことができる。
【００２９】
具体的には、固相用抗体として、ＥＰＳ８に結合する抗体又は該抗体断片を用い、標識用抗体として、エクソソーム特異的抗原に結合する抗体又は該抗体断片を用いる場合は、固相に固定化されたＥＰＳ８に結合する抗体又は該抗体断片に、検体中の、ＥＰＳ８を有するエクソソームを結合させ、次いで、標識化された、エクソソーム特異的抗原に結合する抗体又は該抗体断片を添加して、固相上に、ＥＰＳ８に結合する抗体又は該抗体断片、エクソソーム、及び、標識化された、エクソソーム特異的抗原に結合する抗体又は該抗体断片の複合体を形成させ、形成した該複合体中の該標準を測定することにより、該検体中の、エクソソームが有するＥＰＳ８を測定することができる。
また、固相用抗体として、エクソソーム特異的抗原に結合する抗体又は該抗体断片を用い、標識用抗体として、ＥＰＳ８に結合する抗体又は該抗体断片を用いる場合は、固相に固定化されたエクソソーム特異的抗原に結合する抗体又は該抗体断片に、検体中のエクソソームを結合させ、次いで、標識化された、ＥＰＳ８に結合する抗体又は該抗体断片を添加して、固相上に、エクソソーム特異的抗原に結合する抗体又は該抗体断片、エクソソーム、及び、標識化された、ＥＰＳ８に結合する抗体又は該抗体断片の複合体を形成させ、形成した該複合体中の該標準を測定することにより、該検体中の、エクソソームが有するＥＰＳ８を測定することができる。
【００３０】
上記において、固相としては、例えば、マイクロタイタープレート、ガラス製又は合成樹脂製の粒状物（ビーズ）、ガラス製又は合成樹脂製の球状物（ボール）、ラテックス、磁性粒子、ニトロセルロース膜等の各種メンブレン、合成樹脂製の試験管等を用いることができる。標識としては、例えば酵素、蛍光物質、発光物質、放射性同位元素、ビオチン、ジゴキシゲニン、タグ配列を含むポリペプチド、金属コロイド粒子、着色ラテックス粒子等を用いることができる。
【００３１】
酵素としては、例えば、アルカリホスファターゼ、ペルオキシダーゼ、ガラクトシダーゼ、グルクロニダーゼ、ルシフェラーゼ等が挙げられる。
蛍光物質としては、例えば、フルオレッセイン  イソチオシアナート（ＦＩＴＣ）、ローダミンＢ−イソチオシアナート（ＲＩＴＣ）等が挙げられる。その他の蛍光物質としては、例えば、ｑｕａｎｔｕｍ ｄｏｔ（Ｓｃｉｅｎｃｅ, ２８１, ２０１６−２０１８, １９９８）、フィコエリスリン等のフィコビリ蛋白質、ＧＦＰ（Ｇｒｅｅｎ ｆｌｕｏｒｅｓｃｅｎｔ Ｐｒｏｔｅｉｎ）、ＲＦＰ（Ｒｅｄｆｌｕｏｒｅｓｃｅｎｔ Ｐｒｏｔｅｉｎ、ＹＦＰ  （Ｙｅｌｌｏｗ ｆｌｕｏｒｅｓｃｅｎｔ Ｐｒｏｔｅｉｎ）、ＢＦＰ（Ｂｌｕｅ ｆｌｕｏｒｅｓｃｅｎｔ Ｐｒｏｔｅｉｎ）等の蛍光を発する蛋白質が挙げられる。
発光物質としては、例えば、アクリジニウム及びその誘導体、ルテニウム錯体化合物、ロフィン等が挙げられる。ルテニウム錯体化合物としては、電子供与体と共に電気化学的に発光する、Ｃｌｉｎ.Ｃｈｅｍ.３７,９,１５３４−１５３９, １９９１に示されたものが好ましい。
放射性同位元素としては、例えば、３Ｈ、１４Ｃ、３５Ｓ、３２Ｐ、１２５Ｉ、１３１Ｉ等が挙げられる。
タグ配列を含むポリペプチドとしては、ＦＬＡＧペプチド（ＦＬＡＧタグ、Ａｓｐ Ｔｙｒ Ｌｙｓ Ａｓｐ Ａｓｐ Ａｓｐ Ａｓｐ Ｌｙｓ）、ポリヒスチジン（Ｈｉｓタグ、Ｈｉｓ Ｈｉｓ Ｈｉｓ Ｈｉｓ Ｈｉｓ Ｈｉｓ）、ｍｙｃエピトープペプチド（ｍｙｃタグ、Ｇｌｕ Ｇｌｎ Ｌｙｓ Ｌｅｕ Ｉｌｅ Ｓｅｒ Ｇｌｕ Ｇｌｕ Ａｓｐ Ｌｅｕ）、ヘマグルチニンエピトープペプチド（ＨＡタグ、Ｔｙｒ Ｐｒｏ Ｔｙｒ Ａｓｐ Ｖａｌ Ｐｒｏ Ａｓｐ Ｔｙｒ Ａｌａ）等が挙げられる。
【００３２】
工程（２）において、検体中のエクソソームを破壊せずに、検体中の、エクソソームが有するＥＰＳ８の濃度を測定する場合には、ＥＰＳ８に結合する抗体又は該抗体断片として、上記ＥＰＳ８に結合する抗体又は該抗体断片のうち、エクソソーム表面に存在するＥＰＳ８のエピトープに結合する抗体又は抗体断片を用いることが好ましい。
【００３３】
工程（２）における免疫学的測定法としては、前述のサンドイッチＥＬＩＳＡの他に、エクソスクリーン法が挙げられる。エクソスクリーン法 は、ＰｅｒｋｉｎＥｌｍｅｒ社が開発したＡｌｐｈａＬＩＳＡを応用したものである。本方法においては、エピトープの異なる２種類の抗体を用いて、片方の抗体にはビオチンを結合させたビオチン化抗体を、もう片方にはＡｌｐｈａＬＩＳＡアクセプタービーズを結合させた抗体を用いて解析試料と反応させる。その後、ストレプ卜アビジンが結合したドナービーズを添加することで、ビオチン化抗体とドナービーズがストレプ卜アビジンを介して結合し、アクセプタービーズとドナービーズが隣接する。２００ｎｍ以内に隣接した状態で、６８０ｎｍ励起により、ドナービーズから一重項酸素が発生し、アクセプタービーズに一重項酸素が到達すると６１５ｎｍの光を発してシグナルとして検出することができる。
【００３４】
具体的には、ＥＰＳ８に結合する抗体又は該抗体断片にビオチンを結合させたビオチン化抗体、及び、ＡｌｐｈａＬＩＳＡアクセプタービーズを結合させた、エクソソーム特異的抗原に結合する抗体又は抗体断片を、検体中の、エクソソームが有するＥＰＳ８と反応させ、その後、ストレプ卜アビジンが結合したドナービーズを添加することで、該アクセプタービーズ、エクソソーム、及び、該ドナービーズの複合体を形成させる。該複合体のドナービーズに励起光を照射し一重項酸素を発生させ、発生した一重項酸素と該アクセプタービーズとの反応により生成する光を測定する。
また、エクソソーム特異的抗原に結合する抗体又は該抗体断片にビオチンを結合させたビオチン化抗体、及びＡｌｐｈａＬＩＳＡアクセプタービーズを結合させたＥＰＳ８に結合する抗体又は抗体断片を、検体中の、エクソソームが有するＥＰＳ８と反応させ、その後、ストレプ卜アビジンが結合したドナービーズを添加することで、該アクセプタービーズ、エクソソーム、及び、該ドナービーズの複合体を形成させる。該複合体のドナービーズに励起光を照射し一重項酸素を発生させ、発生した一重項酸素と該アクセプタービーズとの反応により生成する光を測定する。
【００３５】
＜工程（３）＞
工程（３）は、工程（２）で得られた、被検者より採取した検体中の、エクソソームが有するＥＰＳ８濃度と、健常者より採取した検体中の、エクソソームが有するＥＰＳ８濃度とを対比する工程であり、被検者より採取した検体中の、エクソソームが有するＥＰＳ８濃度が、健常者より採取した検体中の、エクソソームが有するＥＰＳ８濃度よりも高い場合には該被検者は膵臓癌に罹患している可能性が高いと判定され、健常者より採取した検体中の、エクソソームが有するＥＰＳ８濃度と同じか又は低い場合には、該被検者は膵臓癌に罹患している可能性は低いと判定される。
【００３６】
健常者より採取した検体中の、エクソソームが有するＥＰＳ８濃度は、該被検者が膵臓癌に罹患している可能性を判定するための基準値であり、複数の健常者より採取した検体中の、エクソソームが有するＥＰＳ８濃度を測定し、その統計から健常者より採取した検体中の、エクソソームが有するＥＰＳ８濃度を設定することができる。
健常者より採取した検体としては、被検者より採取した検体と同種の試料であることが好ましく、例えば、被検者より採取した検体が血液である場合、健常者より採取した検体も血液を用いることが好ましい。
被検者より採取した検体中の、エクソソームが有するＥＰＳ８濃度と、健常者より採取した検体中の、エクソソームが有するＥＰＳ８濃度とを対比する方法としては、特に限定はなく、公知の方法(Ｓｔｅｅｌ法、ｔ検定、Ｗｉｌｃｏｘｏｎ検定等)を用いることができる。該解析により、被検者より採取した検体中の、エクソソームが有するＥＰＳ８濃度が、健常者より採取した検体中の、エクソソームが有するＥＰＳ８濃度よりも高いことが示された場合は、該被検者は膵臓癌に罹患している可能性が高いと判定され、健常者より採取した検体中の、エクソソームが有するＥＰＳ８濃度と同じか又は低いことが示された場合は、該被検者は膵臓癌に罹患している可能性は低いと判定される。
【００３７】
また、前記測定方法１の工程（２）において、被検者より採取した検体より単離したエクソソームを用いて、検体中の、エクソソームが有するＥＰＳ８濃度を測定することもできる。具体的には、以下の工程を含む方法が挙げられる。
［測定方法２］
（１Ａ）被検者より検体を採取する工程；
（２Ａ）工程（１Ａ）で採取した検体からエクソソームを単離する工程；
（３Ａ）工程（２Ａ）で単離したエクソソームが有するＥＰＳ８濃度を測定する工程；
（４Ａ）工程（３Ａ）で測定したＥＰＳ８濃度から、該検体中の、エクソソームが有するＥＰＳ８濃度を決定する工程；
（５Ａ）工程（４Ａ）で決定したＥＰＳ８濃度が、健常者より採取した検体中の、エクソソームが有するＥＰＳ８濃度よりも高い場合には該被検者は膵臓癌に罹患している可能性が高いと判定し、健常者より採取した検体中の、エクソソームが有するＥＰＳ８濃度と同じか又は低い場合には該被検者は膵臓癌に罹患している可能性は低いと判定する工程。
以下、各工程について詳細に説明する。
【００３８】
＜工程（１Ａ）＞
工程（１Ａ）において、被検者より採取された検体としては、前述の検体等が挙げられる。
【００３９】
＜工程（２Ａ）＞
工程（２Ａ）における、エクソソームを単離する方法としては、検体中のエクソソームを単離できる方法であれば特に制限はなく、例えば超遠心法（Ｔｒｅｎｄｓ  ｉｎ  Ｍｏｌｅｃｕｌａｒ  Ｍｅｄｉｃｉｎｅ．２１，５３３（２０１５））、エクソソーム単離キットＥＸＯ−Ｐｒｅｐ（コスモバイオ社製）を用いる方法等が挙げられる。
【００４０】
＜工程（３Ａ）＞
工程（３Ａ）におけるエクソソームが有するＥＰＳ８の測定方法は、エクソソームが有するＥＰＳ８を測定し得る方法であれば、如何なる方法を用いて行うことができ、例えば免疫学的測定法等の方法を用いて行うことができる。免疫学的測定法によるエクソソームが有するＥＰＳ８濃度の測定方法としては、以下の態様が挙げられる。
【００４１】
・態様１
ＥＰＳ８に結合する抗体又は該抗体断片を用いる方法。
・態様２
ＥＰＳ８に結合する抗体又は該抗体断片、及びエクソソーム特異的抗原に結合する抗体又は該抗体断片を用いる方法。
【００４２】
ＥＰＳ８に結合する抗体又は該抗体断片としては、例えば前述のＥＰＳ８に結合する抗体又は該抗体断片等が挙げられる。エクソソーム特異的抗原に結合する抗体又は該抗体断片としては、例えば、前述のエクソソーム特異的抗原に結合する抗体又は該抗体断片等が挙げられる。
【００４３】
態様１の方法としては、例えばウェスタンブロッティング法等が挙げられる。ウェスタンブロッティング法としては、例えば、Ｍｏｎｏｃｌｏｎａｌ Ａｎｔｉｂｏｄｉｅｓ−Pｒｉｎｃｉｐｌｅｓ ａｎｄ ｐｒａｃｔｉｃｅ, Ｔｈｉｒｄ ｅｄｉｔｉｏｎ, Ａｃａｄｅｍｉｃ Ｐｒｅｓｓ （１９９６）に記載の方法等が挙げられる。
態様２の方法としては、単離したエクソソームを破壊せずに測定する場合には、上記測定方法１に記載した免疫学的測定方法、例えば、エクソスクリーン法等が挙げられ、単離したエクソソームを破壊して測定する場合には、サンドイッチＥＬＩＳＡ法等が挙げられる。エクソスクリーン法としては、例えば、前述のエクソスクリーン法等が挙げられる。単離したエクソソームを破壊せずに測定する場合は、ＥＰＳ８に結合する抗体又は該抗体断片は、前記ＥＰＳ８に結合する抗体又は該抗体断片のうち、エクソソーム表面に存在するＥＰＳ８のエピトープに結合する抗体又は抗体断片を用いる。
単離したエクソソームを破壊する方法としては、例えば、超音波を用いる方法等が挙げられる。サンドイッチＥＬＩＳＡ法としては、例えば、ＥＰＳ８に結合する抗体又は該抗体断片を固相用抗体として、エクソソーム特異的抗原に結合する抗体又は該抗体断片を標識用抗体として用いても、エクソソーム特異的抗原に結合する抗体又は該抗体断片を固相用抗体として、ＥＰＳ８に結合する抗体又は該抗体断片を標識用抗体として用いてもよい。固相及び標識としては、例えば公知の固相及び標識がそれぞれ挙げられ、例えば、前記の固相及び標識がそれぞれ用いられる。固相用抗体及び標識用抗体の調製方法としては、例えば公知の調製方法が挙げられる。
【００４４】
＜工程（４Ａ）＞
工程（４Ａ）は、工程（３Ａ）で測定したＥＰＳ８濃度から、該検体中の、エクソソームが有するＥＰＳ８濃度を決定する工程である。該検体の容量と、工程（３Ａ）で測定したＥＰＳ８濃度とから、該検体中の、エクソソームが有するＥＰＳ８濃度を決定することができる。
【００４５】
＜工程（５Ａ）＞
工程（５Ａ）は、工程（４Ａ）で決定された、該被検者より採取した検体中の、エクソソームが有するＥＰＳ８濃度と、健常者より採取した検体中の、エクソソームが有するＥＰＳ８濃度とを対比する工程であり、被検者より採取した検体中の、エクソソームが有するＥＰＳ８濃度が、健常者より採取した検体中の、エクソソームが有するＥＰＳ８濃度よりも高い場合には該被検者は膵臓癌に罹患している可能性が高いと判定され、健常者より採取した検体中の、エクソソームが有するＥＰＳ８濃度と同じか又は低い場合には、該被検者は膵臓癌に罹患している可能性は低いと判定される。
【００４６】
健常者より採取した検体中の、エクソソームが有するＥＰＳ８濃度は、該被検者が膵臓癌に罹患している可能性を判定するための基準値であり、複数の健常者より採取した検体中の、エクソソームが有するＥＰＳ８濃度を測定し、その統計から健常者より採取した検体中の、エクソソームが有するＥＰＳ８濃度を設定してもよい。
健常者の検体としては、被検者の検体と同種の試料であることが好ましく、例えば、被検者の検体が血液である場合、健常者の検体も血液を用いることが好ましい。
【００４７】
被検者より採取した検体中の、エクソソームが有するＥＰＳ８濃度と、健常者より採取した検体中の、エクソソームが有するＥＰＳ８濃度とを対比する方法としては、前述の方法を用いることができる。該解析により、被検者より採取した検体中の、エクソソームが有するＥＰＳ８濃度が、健常者より採取した検体中の、エクソソームが有するＥＰＳ８濃度よりも高いことが示された場合は、該被検者は膵臓癌に罹患している可能性が高いと判定され、健常者より採取した検体中の、エクソソームが有するＥＰＳ８濃度と同じか又は低いことが示された場合は、該被検者は膵臓癌に罹患している可能性は低いと判定される。
【００４８】
２．膵臓疾患患者において、膵臓癌と膵臓癌以外の膵臓疾患とを鑑別する方法
本発明の、膵臓疾患患者において、膵臓癌と膵臓癌以外膵臓疾患とを鑑別する方法は、膵臓疾患患者より採取した検体中の、エクソソームが有するＥＰＳ８の濃度を測定することを特徴とする方法である。
本発明の鑑別方法における検体としては、エクソソームが有するＥＰＳ８が測定され得る検体であれば特に制限はなく、例えば前述の検体等が挙げられる。
本発明の鑑別方法において、エクソソームが有するＥＰＳ８は、エクソソームに内包されていても、エクソソームの膜表面に存在していても、エクソソームの膜を貫通していても、何れの形態で存在していてもよい。
本発明の鑑別方法において、エクソソームが有するＥＰＳ８濃度とは、単位容量あたりの質量又はモル数のみならず、単位容量あたりのシグナル強度をも包含する。
【００４９】
［測定方法３］
本発明の、膵臓疾患患者において、膵臓癌と膵臓癌以外膵臓疾患とを鑑別する方法は、以下の工程を含む方法により行うことができる。
（１Ｂ）被検者より検体を採取する工程；
（２Ｂ）工程（１Ｂ）で採取した検体中の、エクソソームが有するＥＰＳ８の濃度を測定する工程；
（３Ｂ）工程（２Ｂ）で測定したＥＰＳ８濃度が、膵臓癌以外の膵臓疾患患者より採取した検体中の、エクソソームが有するＥＰＳ８濃度よりも高い場合には該被検者は膵臓癌に罹患している可能性が高いと判定し、膵臓癌以外の膵臓疾患患者より採取した検体中の、エクソソームが有するＥＰＳ８濃度と同じか又は低い場合には該被検者は膵臓癌以外の膵臓疾患に罹患している可能性が高いと判定する工程。
以下、各工程について詳細に説明する。
【００５０】
＜工程（１Ｂ）＞
工程（１Ｂ）において、被検者より採取された検体としては、前述の検体等が挙げられる。
【００５１】
＜工程（２Ｂ）＞
工程（２Ｂ）は、ＥＰＳ８に結合する抗体又は該抗体断片、及び、エクソソーム特異的抗原に結合する抗体又は該抗体断片を用い、工程（１Ｂ）で採取された検体中の、エクソソームが有するＥＰＳ８濃度を測定する工程である。
【００５２】
工程（２Ｂ）におけるＥＰＳ８に結合する抗体としては、ＥＰＳ８を測定できる抗体であれば特に制限はなく、例えば前述の抗体等が挙げられる。
工程（２Ｂ）におけるエクソソーム特異的抗原としては、例えば前述の抗原等が挙げられる。
【００５３】
エクソソーム特異的抗原に結合する抗体としては、エクソソーム特異的抗原に結合できる抗体であれば特に制限はなく、例えば前述の抗体等が挙げられる。
工程（２Ｂ）におけるＥＰＳ８に結合する抗体断片、エクソソーム特異的抗原に結合する抗体断片としては、それぞれＥＰＳ８、エクソソーム特異的抗原を測定できる抗体断片であれば特に制限はなく、例えば前述の抗体断片等が挙げられる。
工程（２Ｂ）において、エクソソームが有するＥＰＳ８濃度の測定に用いる上記２種類の抗体は、エクソソーム特異的抗原に結合する抗体又は該抗体断片を固相用抗体として、ＥＰＳ８に結合する抗体又は該抗体断片を標識用抗体として用いることができる。あるいは、ＥＰＳ８に結合する抗体又は該抗体断片を固相用抗体として、エクソソーム特異的抗原に結合する抗体又は該抗体断片を標識用抗体として用いることもできる。固相用抗体及び標識用抗体の調製は、特に限定はなく、公知の方法に従って行うことができる。
【００５４】
エクソソームが有するＥＰＳ８の測定方法は、エクソソームが有するＥＰＳ８を測定し得る方法であれば、如何なる方法を用いて行うことができ、例えば前述の免疫学的測定法等の方法を用いて行うことができる。
工程（２Ｂ）において、検体中のエクソソームを破壊せずに、検体中の、エクソソームが有するＥＰＳ８の濃度を測定する場合には、ＥＰＳ８に結合する抗体又は該抗体断片として、上記ＥＰＳ８に結合する抗体又は該抗体断片のうち、エクソソーム表面に存在するＥＰＳ８のエピトープに結合する抗体又は抗体断片を用いることが好ましい。
上記の免疫学的測定法としては、例えば前述のサンドイッチＥＬＩＳＡ、エクソスクリーン法等が挙げられる。
【００５５】
＜工程（３Ｂ）＞
工程（３Ｂ）は、工程（２Ｂ）で得られた、膵臓疾患患者より採取した検体中の、エクソソームが有するＥＰＳ８濃度と、膵臓癌以外の膵臓疾患患者より採取した検体中の、エクソソームが有するＥＰＳ８濃度とを対比する工程であり、膵臓疾患患者より採取した検体中の、エクソソームが有するＥＰＳ８濃度が、膵臓癌以外の膵臓疾患患者より採取した検体中の、エクソソームが有するＥＰＳ８濃度よりも高い場合には該膵臓疾患患者は膵臓癌に罹患している可能性が高いと判定し、膵臓癌以外の膵臓疾患患者より採取した検体中の、エクソソームが有するＥＰＳ８濃度と同じか又は低い場合には該膵臓疾患患者は膵臓癌以外の膵臓疾患に罹患している可能性が高いと判定する工程である。
【００５６】
膵臓癌以外の膵臓疾患としては、膵炎が挙げられ、膵炎としては、急性膵炎、慢性膵炎が挙げられる。
【００５７】
膵臓癌以外の膵臓疾患患者より採取した検体中の、エクソソームが有するＥＰＳ８濃度は、該検者が膵臓癌に罹患しているか、膵臓癌以外の膵臓疾患に罹患しているかを鑑別するための基準値であり、複数の膵臓癌以外の膵臓疾患患者より採取した検体中の、エクソソームが有するＥＰＳ８濃度を測定し、その統計から膵臓癌以外の膵臓疾患患者より採取した検体中の、エクソソームが有するＥＰＳ８濃度を設定することができる。
膵臓癌以外の膵臓疾患患者より採取した検体としては、被検者より採取した検体と同種の試料であることが好ましく、例えば、被検者より採取した検体が血液である場合、膵臓癌以外の膵臓疾患患者より採取した検体も血液を用いることが好ましい。
被検者より採取した検体中のエクソソームが有するＥＰＳ８濃度と、膵臓癌以外の膵臓疾患患者より採取した検体中のエクソソームが有するＥＰＳ８濃度とを対比する方法としては、特に限定はなく、例えば前述の方法等を用いることができる。該解析により、被検者より採取した検体中の、エクソソームが有するＥＰＳ８濃度が、膵臓癌以外の膵臓疾患患者より採取した検体中の、エクソソームが有するＥＰＳ８濃度よりも高いことが示された場合は、該被検者は膵臓癌に罹患している可能性が高いと判定され、膵臓癌以外の膵臓疾患患者より採取した検体中の、エクソソームが有するＥＰＳ８濃度と同じか又は低いことが示された場合は、該被検者は膵臓癌以外の膵臓疾患に罹患している可能性が高いと判定される。
【００５８】
また、前記測定方法３の工程（２Ｂ）において、被検者より採取した検体より単離したエクソソームを用いて、検体中の、エクソソームが有するＥＰＳ８濃度を測定することもできる。具体的には、以下の工程を含む方法が挙げられる。
［測定方法４］
（１Ｃ）膵臓疾患患者より検体を採取する工程；
（２Ｃ）工程（１Ｃ）で採取した検体からエクソソームを単離する工程；
（３Ｃ）工程（２Ｃ）で単離したエクソソームが有するＥＰＳ８濃度を測定する工程；
（４Ｃ）工程（３Ｃ）で測定したＥＰＳ８濃度から、該検体中の、エクソソームが有するＥＰＳ８濃度を決定する工程；
（５Ｃ）工程（４Ｃ）で決定したＥＰＳ８濃度が、膵臓癌以外の膵臓疾患より採取した検体中の、エクソソームが有するＥＰＳ８濃度よりも高い場合には該被検者は膵臓癌に罹患している可能性が高いと判定し、膵臓癌以外の膵臓疾患より採取した検体中の、エクソソームが有するＥＰＳ８濃度と同じか又は低い場合には該被検者は膵臓癌以外の膵臓疾患に罹患している可能性が高いと判定する工程。
【００５９】
＜工程（１Ｃ）＞
工程（１Ｃ）において、被検者より採取された検体としては、前述の検体等が挙げられる。
【００６０】
＜工程（２Ｃ）＞
工程（２Ｃ）における、エクソソームを単離する方法としては、検体中のエクソソームを単離できる方法であれば特に制限はなく、例えば前述の方法等が挙げられる。
【００６１】
＜工程（３Ｃ）＞
工程（３Ｃ）におけるエクソソームが有するＥＰＳ８の測定方法は、エクソソームが有するＥＰＳ８を測定し得る方法であれば、如何なる方法を用いて行うことができ、例えば免疫学的測定法等の方法を用いて行うことができる。免疫学的測定法によるエクソソームが有するＥＰＳ８濃度の測定方法としては、以下の態様が挙げられる。
【００６２】
・態様１
ＥＰＳ８に結合する抗体又は該抗体断片を用いる方法。
・態様２
ＥＰＳ８に結合する抗体又は該抗体断片、及びエクソソーム特異的抗原に結合する抗体又は該抗体断片を用いる方法。
【００６３】
ＥＰＳ８に結合する抗体又は該抗体断片としては、例えば前述のＥＰＳ８に結合する抗体又は該抗体断片等が挙げられる。エクソソーム特異的抗原に結合する抗体又は該抗体断片としては、例えば前述のエクソソーム特異的抗原に結合する抗体又は該抗体断片等が挙げられる。
【００６４】
態様１の方法としては、例えばウェスタンブロッティング法等が挙げられる。ウェスタンブロッティング法としては、例えば前述の方法等が挙げられる。
態様２の方法としては、単離したエクソソームを破壊せずに測定する場合には、上記測定方法１に記載した免疫学的測定方法、例えば、エクソスクリーン法等が挙げられ、単離したエクソソームを破壊して測定する場合には、サンドイッチＥＬＩＳＡ法等が挙げられる。エクソスクリーン法としては、例えば前述のエクソスクリーン法等が挙げられる。
【００６５】
単離したエクソソームを破壊せずに測定する場合は、ＥＰＳ８に結合する抗体又は該抗体断片は、前記ＥＰＳ８に結合する抗体又は該抗体断片のうち、エクソソーム表面に存在するＥＰＳ８のエピトープに結合する抗体又は抗体断片を用いる。
単離したエクソソームを破壊する方法としては、例えば前述の方法等が挙げられる。
サンドイッチＥＬＩＳＡ法としては、例えばＥＰＳ８に結合する抗体又は該抗体断片を固相用抗体として、エクソソーム特異的抗原に結合する抗体又は該抗体断片を標識用抗体として用いても、エクソソーム特異的抗原に結合する抗体又は該抗体断片を固相用抗体として、ＥＰＳ８に結合する抗体又は該抗体断片を標識用抗体として用いてもよい。固相及び標識としては、例えば公知の固相及び標識がそれぞれ挙げられ、例えば前述の固相及び標識がそれぞれ用いられる。固相用抗体及び標識用抗体の調製方法としては、例えば公知の調製方法が挙げられる。
【００６６】
＜工程（４Ｃ）＞
工程（４Ｃ）は、工程（３Ｃ）で測定したＥＰＳ８濃度から、該検体中の、エクソソームが有するＥＰＳ８濃度を決定する工程である。該検体の容量と、工程（３Ｃ）で測定したＥＰＳ８濃度とから、該検体中の、エクソソームが有するＥＰＳ８濃度を決定することができる。
【００６７】
＜工程（５Ｃ）＞
工程（５Ｃ）は、工程（４Ｃ）で決定された、該膵臓疾患患者より採取した検体中の、エクソソームが有するＥＰＳ８濃度と、膵臓癌以外の膵臓疾患より採取した検体中の、エクソソームが有するＥＰＳ８濃度とを対比する工程であり、膵臓疾患患者より採取した検体中の、エクソソームが有するＥＰＳ８濃度が、膵臓癌以外の膵臓疾患より採取した検体中の、エクソソームが有するＥＰＳ８濃度よりも高い場合には該膵臓疾患患者は膵臓癌に罹患している可能性が高いと判定され、膵臓癌以外の膵臓疾患より採取した検体中の、エクソソームが有するＥＰＳ８濃度と同じか又は低い場合には、該膵臓疾患患者は膵臓癌以外の膵臓疾患に罹患している可能性が高いと判定される。
【００６８】
膵臓癌以外の膵臓疾患患者より採取した検体中の、エクソソームが有するＥＰＳ８濃度は、該膵臓疾患患者が膵臓癌に罹患しているか、膵臓癌以外の膵臓疾患に罹患しているかを鑑別するための基準値であり、複数の膵臓癌以外の膵臓疾患患者より採取した検体中の、エクソソームが有するＥＰＳ８濃度を測定し、その統計から膵臓癌以外の膵臓疾患患者より採取した検体中の、エクソソームが有するＥＰＳ８濃度を設定することができる。
この場合、基準値を設定する際に用いた膵臓癌以外の膵臓疾患患者の検体は、被検者である膵臓疾患患者の検体と同種の試料であることが好ましく、例えば、被検者である膵臓疾患患者の検体が血液である場合、膵臓癌以外の膵臓疾患患者の検体も血液を用いることが好ましい。
被検者のエクソソームが有するＥＰＳ８濃度と、膵臓癌以外の膵臓疾患患者のエクソソームが有するＥＰＳ８濃度とを対比する方法としては、前述の方法を用いることができる。該解析により、被検者より採取した検体中の、エクソソームが有するＥＰＳ８濃度が、膵臓癌以外の膵臓疾患患者より採取した検体中の、エクソソームが有するＥＰＳ８濃度よりも高いことが示された場合は、該被検者は膵臓癌に罹患している可能性が高いと判定され、膵臓癌以外の膵臓疾患患者より採取した検体中の、エクソソームが有するＥＰＳ８濃度と同じか又は低いことが示された場合は、該被検者は膵臓癌以外の膵臓疾患患者に罹患している可能性が高いと判定される。
【００６９】
３．被検者が膵臓癌に罹患している可能性をモニタリングする方法
本発明の、被検者が膵臓癌に罹患している可能性をモニタリングする方法は、被検者より経時的に採取した検体中のエクソソームが有するＥＰＳ８の濃度を測定することを特徴とする方法である。
【００７０】
本発明における検体としては、エクソソームが有するＥＰＳ８が測定され得る検体であれば特に制限はなく、例えば前述の検体等が挙げられる。
本発明において、エクソソームが有するＥＰＳ８は、エクソソームに内包されていても、エクソソームの膜表面に存在していても、エクソソームの膜を貫通していても、何れの形態で存在していてもよい。
本発明において、エクソソームが有するＥＰＳ８濃度とは、単位容量あたりの質量又はモル数のみならず、単位容量あたりのシグナル強度をも包含する。
【００７１】
［測定方法５］
本発明において、被検者が膵臓癌に罹患している可能性をモニタリングする方法は、以下の工程を含む方法により行うことができる。
（１Ｄ）被検者より経時的に検体を採取する工程；
（２Ｄ）工程（１Ｄ）で採取した検体中の、エクソソームが有するＥＰＳ８の濃度を測定する工程；
（３Ｄ）工程（２Ｄ）で測定したＥＰＳ８濃度が、健常者より採取した検体中の、エクソソームが有するＥＰＳ８濃度よりも高い濃度で維持されている場合には該被検者は膵臓癌に罹患している可能性が高いと判定し、健常者より採取した検体中の、エクソソームが有するＥＰＳ８濃度と同じか又は低い濃度で維持されている場合には該被検者は膵臓癌に罹患している可能性が低いと判定する工程。
【００７２】
＜工程（１Ｄ）＞
工程（１Ｄ）において、被検者より採取された検体としては、前述の検体等が挙げられる。
【００７３】
＜工程（２Ｄ）＞
工程（２Ｄ）は、ＥＰＳ８に結合する抗体又は該抗体断片、及び、エクソソーム特異的抗原に結合する抗体又は該抗体断片を用い、工程（１Ｄ）で採取された検体中の、エクソソームが有するＥＰＳ８濃度を測定する工程である。
工程（２Ｄ）におけるＥＰＳ８に結合する抗体としては、ＥＰＳ８を測定できる抗体であれば特に制限はなく、例えば前述の抗体等が挙げられる。
工程（２Ｄ）におけるエクソソーム特異的抗原としては、例えば前述の抗原等が挙げられる。
【００７４】
エクソソーム特異的抗原に結合する抗体としては、エクソソーム特異的抗原に結合できる抗体であれば特に制限はなく、例えば前述の抗体等が挙げられる。
工程（２Ｄ）におけるＥＰＳ８に結合する抗体断片、エクソソーム特異的抗原に結合する抗体断片としては、それぞれＥＰＳ８、エクソソーム特異的抗原を測定できる抗体断片であれば特に制限はなく、例えば前述の抗体断片等が挙げられる。
工程（２Ｄ）において、エクソソームが有するＥＰＳ８濃度の測定に用いる上記２種類の抗体は、エクソソーム特異的抗原に結合する抗体又は該抗体断片を固相用抗体として、ＥＰＳ８に結合する抗体又は該抗体断片を標識用抗体として用いることができる。あるいは、ＥＰＳ８に結合する抗体又は該抗体断片を固相用抗体として、エクソソーム特異的抗原に結合する抗体又は該抗体断片を標識用抗体として用いることもできる。固相用抗体及び標識用抗体の調製は、特に限定はなく、公知の方法に従って行うことができる。
エクソソームが有するＥＰＳ８の測定方法は、エクソソームが有するＥＰＳ８を測定し得る方法であれば、如何なる方法を用いて行うことができ、例えば前述の免疫学的測定法等の方法を用いて行うことができる。
工程（２Ｄ）において、検体中のエクソソームを破壊せずに、検体中の、エクソソームが有するＥＰＳ８の濃度を測定する場合には、ＥＰＳ８に結合する抗体又は該抗体断片として、上記ＥＰＳ８に結合する抗体又は該抗体断片のうち、エクソソーム表面に存在するＥＰＳ８のエピトープに結合する抗体又は抗体断片を用いることが好ましい。
上記の免疫学的測定法としては、例えば前述のサンドイッチＥＬＩＳＡ、エクソスクリーン法等が挙げられる。
【００７５】
＜工程（３Ｄ）＞
工程（３Ｄ）は、工程（２Ｄ）で得られた、被検者より採取した検体中の、エクソソームが有するＥＰＳ８濃度と、健常者より採取した検体中の、エクソソームが有するＥＰＳ８濃度とを対比する工程であり、被検者より採取した検体中の、エクソソームが有するＥＰＳ８濃度が、健常者より採取した検体中の、エクソソームが有するＥＰＳ８濃度よりも高い場合には該被検者は膵臓癌に罹患している可能性が高いと判定し、健常者より採取した検体中の、エクソソームが有するＥＰＳ８濃度と同じか又は低い場合には該被検者は膵臓癌に罹患している可能性が低いと判定する。
【００７６】
健常者より採取した検体中の、エクソソームが有するＥＰＳ８濃度は、該検者が膵臓癌に罹患している可能性を判定するための基準値であり、複数の健常者より採取した検体中の、エクソソームが有するＥＰＳ８濃度を測定し、その統計から健常者より採取した検体中の、エクソソームが有するＥＰＳ８濃度を設定することができる。
健常者より採取した検体としては、被検者より採取した検体と同種の試料であることが好ましく、例えば、被検者より採取した検体が血液である場合、健常者より採取した検体も血液を用いることが好ましい。
被検者より経時的に採取した検体中のエクソソームが有するＥＰＳ８濃度と、健常者より採取した検体中のエクソソームが有するＥＰＳ８濃度とを対比する方法としては、特に限定はなく、例えば前述の方法等を用いることができる。該解析により、被検者より採取した検体中の、エクソソームが有するＥＰＳ８濃度が、健常者より採取した検体中の、エクソソームが有するＥＰＳ８濃度よりも高い濃度で維持されている場合は、該被検者は膵臓癌に罹患している可能性が高いと判定され、健常者より採取した検体中の、エクソソームが有するＥＰＳ８濃度と同じか又は低い濃度で維持されている場合は、該被検者は膵臓癌に罹患している可能性が低いと判定される。
【００７７】
また、前記測定方法５の工程（２Ｄ）において、被検者より採取した検体より単離したエクソソームを用いて、検体中の、エクソソームが有するＥＰＳ８濃度を測定することもできる。具体的には、以下の工程を含む方法が挙げられる。
［測定方法６］
（１Ｅ）被検者より経時的に検体を採取する工程；
（２Ｅ）工程（１Ｅ）で採取した検体からエクソソームを単離する工程；
（３Ｅ）工程（２Ｅ）で単離したエクソソームが有するＥＰＳ８濃度を測定する工程；
（４Ｅ）工程（３Ｅ）で測定したＥＰＳ８濃度から、該検体中の、エクソソームが有するＥＰＳ８濃度を決定する工程；
（５Ｅ）工程（４Ｅ）で決定したＥＰＳ８濃度が、健常者より採取した検体中の、エクソソームが有するＥＰＳ８濃度よりも高い濃度で維持されている場合には該被検者は膵臓癌に罹患している可能性が高いと判定し、健常者より採取した検体中の、エクソソームが有するＥＰＳ８濃度と同じか又は低い濃度で維持されている場合には該被検者は膵臓癌に罹患している可能性が低いと判定する工程。
【００７８】
＜工程（１Ｅ）＞
工程（１Ｅ）において、被検者より採取された検体としては、前述の検体等が挙げられる。
【００７９】
＜工程（２Ｅ）＞
工程（２Ｅ）における、エクソソームを単離する方法としては、検体中のエクソソームを単離できる方法であれば特に制限はなく、例えば前述の方法等が挙げられる。
【００８０】
＜工程（３Ｅ）＞
工程（３Ｅ）におけるエクソソームが有するＥＰＳ８の測定方法は、エクソソームが有するＥＰＳ８を測定し得る方法であれば、如何なる方法を用いて行うことができ、例えば免疫学的測定法等の方法を用いて行うことができる。免疫学的測定法によるエクソソームが有するＥＰＳ８濃度の測定方法としては、以下の態様が挙げられる。
【００８１】
・態様１
ＥＰＳ８に結合する抗体又は該抗体断片を用いる方法。
・態様２
ＥＰＳ８に結合する抗体又は該抗体断片、及びエクソソーム特異的抗原に結合する抗体又は該抗体断片を用いる方法。
【００８２】
ＥＰＳ８に結合する抗体又は該抗体断片としては、例えば前述のＥＰＳ８に結合する抗体又は該抗体断片等が挙げられる。エクソソーム特異的抗原に結合する抗体又は該抗体断片としては、例えば前述のエクソソーム特異的抗原に結合する抗体又は該抗体断片等が挙げられる。
【００８３】
態様１の方法としては、例えばウェスタンブロッティング法等が挙げられる。ウェスタンブロッティング法としては、例えば前述の方法等が挙げられる。
【００８４】
態様２の方法としては、単離したエクソソームを破壊せずに測定する場合には、上記測定方法１に記載した免疫学的測定方法、例えば、エクソスクリーン法等が挙げられ、単離したエクソソームを破壊して測定する場合には、サンドイッチＥＬＩＳＡ法等が挙げられる。エクソスクリーン法としては、例えば前述のエクソスクリーン法等が挙げられる。
単離したエクソソームを破壊せずに測定する場合は、ＥＰＳ８に結合する抗体又は該抗体断片は、前記ＥＰＳ８に結合する抗体又は該抗体断片のうち、エクソソーム表面に存在するＥＰＳ８のエピトープに結合する抗体又は抗体断片を用いる。
単離したエクソソームを破壊する方法としては、例えば前述の方法等が挙げられる。サンドイッチＥＬＩＳＡ法としては、例えばＥＰＳ８に結合する抗体又は該抗体断片を固相用抗体として、エクソソーム特異的抗原に結合する抗体又は該抗体断片を標識用抗体として用いても、エクソソーム特異的抗原に結合する抗体又は該抗体断片を固相用抗体として、ＥＰＳ８に結合する抗体又は該抗体断片を標識用抗体として用いてもよい。固相及び標識としては、例えば公知の固相及び標識がそれぞれ挙げられ、例えば前述の固相及び標識がそれぞれ用いられる。固相用抗体及び標識用抗体の調製方法としては、例えば公知の調製方法が挙げられる。
【００８５】
＜工程（４Ｅ）＞
工程（４Ｅ）は、工程（３Ｅ）で測定したＥＰＳ８濃度から、該検体中の、エクソソームが有するＥＰＳ８濃度を決定する工程である。該検体の容量と、工程（３Ｅ）で測定したＥＰＳ８濃度とから、該検体中の、エクソソームが有するＥＰＳ８濃度を決定することができる。
【００８６】
＜工程（５Ｅ）＞
工程（５Ｅ）は、工程（４Ｅ）で決定された、該被検者より採取した検体中の、エクソソームが有するＥＰＳ８濃度と、健常者より採取した検体中の、エクソソームが有するＥＰＳ８濃度とを対比する工程であり、被検者より採取した検体中の、エクソソームが有するＥＰＳ８濃度が、健常者より採取した検体中の、エクソソームが有するＥＰＳ８濃度よりも高い濃度で維持されている場合には該被検者は膵臓癌に罹患している可能性が高いと判定され、健常者より採取した検体中の、エクソソームが有するＥＰＳ８濃度と同じか又は低い濃度で維持されている場合には、該被検者は膵臓癌に罹患している可能性が低いと判定される。
【００８７】
健常者より採取した検体中の、エクソソームが有するＥＰＳ８濃度は、該検者が膵臓癌に罹患している可能性を判定するための基準値であり、複数の健常者より採取した検体中の、エクソソームが有するＥＰＳ８濃度を測定し、その統計から健常者より採取した検体中の、エクソソームが有するＥＰＳ８濃度を設定することができる。
健常者の検体としては、被検者の検体と同種の試料であることが好ましく、例えば、被検者の検体が血液である場合、健常者の検体も血液を用いることが好ましい。
被検者より採取した検体中の、エクソソームが有するＥＰＳ８濃度と、健常者より採取した検体中の、エクソソームが有するＥＰＳ８濃度とを対比する方法としては、前述の方法を用いることができる。該解析により、被検者より採取した検体中の、エクソソームが有するＥＰＳ８濃度が、健常者より採取した検体中の、エクソソームが有するＥＰＳ８濃度よりも高い濃度で維持されている場合は、該被検者は膵臓癌に罹患している可能性が高いと判定され、健常者より採取した検体中の、エクソソームが有するＥＰＳ８濃度と同じか又は低い濃度で維持されている場合は、該被検者は膵臓癌に罹患している可能性が低いと判定される。
【００８８】
実施例にて後述するように、本発明によれば、手術前から手術後の膵臓癌患者より採取した検体中の、エクソソームが有するＥＰＳ８濃度を測定することで、手術を施した際の治療効果、癌部の縮小等の膵臓癌患者の状態をモニタリングすることができる。
また、本発明によれば、治療中の膵臓癌患者より採取した検体中の、エクソソームが有するＥＰＳ８濃度を測定することで、膵臓癌の再発を予測することができる。
また、本発明によれば、被検者より採取した検体中の、エクソソームが有するＥＰＳ８濃度を測定することで、被検者が膵臓癌に罹患している可能性をモニタリングすることができる。
【００８９】
４．被検者が膵臓癌に罹患している可能性を試験するための試薬
本発明の、被検者が膵臓癌に罹患している可能性を試験するための試薬は、エクソソームが有するＥＰＳ８測定試薬を含有することを特徴とする試薬であり、本発明の、被検者が膵臓癌に罹患している可能性を試験する方法に用いることができる。
【００９０】
また、本発明の、被検者が膵臓癌に罹患している可能性を試験するための試薬には、さらに、被検者より採取された検体中の、エクソソームが有するＥＰＳ８濃度が、健常者より採取した検体中の、エクソソームが有するＥＰＳ８濃度より高い場合には、該被検者は膵臓癌に罹患している可能性が高く、健常者より採取した検体中の、エクソソームが有するＥＰＳ８濃度と同じか又は低い場合には、該被検者は膵臓癌に罹患している可能性が低い、という基準が記載された基準表が含まれていてもよい。
【００９１】
本発明の、被検者が膵臓癌に罹患している可能性を試験するための試薬における、エクソソームが有するＥＰＳ８測定試薬は、前述のエクソソームが有するＥＰＳ８の測定方法に使用される試薬である。エクソソームが有するＥＰＳ８測定試薬としては、検体中のエクソソームが有するＥＰＳ８を測定し得る試薬であれば特に制限はなく、例えば免疫学的測定試薬等が挙げられる。免疫学的測定試薬としては、例えば前述の免疫学的測定方法に基づく試薬等が挙げられる。
免疫学的測定法に基づいた、エクソソームが有するＥＰＳ８測定試薬の具体的態様を以下に示す。
【００９２】
・測定試薬１
ＥＰＳ８に結合する抗体又は該抗体断片を含む試薬。
・測定試薬２
標識が結合した、ＥＰＳ８に結合する抗体又は該抗体断片を含む試薬。
・測定試薬３
ＥＰＳ８に結合する抗体又は該抗体断片、及び、エクソソーム特異的抗原に結合する抗体又は該抗体断片を含む試薬。
・測定試薬４
固相に固定化された、ＥＰＳ８に結合する抗体又は該抗体断片、及び、標識が結合した、エクソソーム特異的抗原に結合する抗体又は該抗体断片を含む試薬。
・測定試薬５
固相に固定化された、エクソソーム特異的抗原に結合する抗体又は該抗体断片、及び、標識が結合した、ＥＰＳ８に結合する抗体又は該抗体断片を含む試薬。
・測定試薬６
固相に固定化された、ＥＰＳ８に結合する第１抗体又は該抗体断片、及び、標識が結合した、ＥＰＳ８に結合する第２抗体又は該抗体断片を含む試薬。
ＥＰＳ８に結合する抗体又は該抗体断片、及び、エクソソーム特異的抗原に結合する抗体又は該抗体断片としては、それぞれ前述のＥＰＳ８に結合する抗体又は該抗体断片、及び、エクソソーム特異的抗原に結合する抗体又は該抗体断片等が挙げられる。
【００９３】
標識が結合した、ＥＰＳ８に結合する抗体又は該抗体断片、及び、標識が結合した、エクソソーム特異的抗原に結合する抗体又は該抗体断片における標識としては、例えば前述の標識等が挙げられる。標識が結合した、ＥＰＳ８に結合する抗体又は該抗体断片、及び、標識が結合した、エクソソーム特異的抗原に結合する抗体又は該抗体断片の調製は、例えば公知の標識化抗体の調製方法に従って行うことができる。
固相に固定化された、ＥＰＳ８に結合する抗体又は該抗体断片、及び、固相に固定化された、エクソソーム特異的抗原に結合する抗体又は該抗体断片における固相としては、例えば前述の固相等が挙げられる。ＥＰＳ８に結合する抗体又は該抗体断片の固相への固定化、及び、エクソソーム特異的抗原に結合する抗体又は該抗体断片の固相への固定化は、例えば公知の方法に従って行うことができる。
測定試薬６において、ＥＰＳ８に結合する第１抗体又は該抗体断片が結合するエピトープと、ＥＰＳ８に結合する第２抗体又は該抗体断片が結合するエピトープは異なっていても同じでもよいが、異なっている方が好ましい。
前記測定試薬１〜６には、さらにエクソソーム単離試薬が含まれていてもよい。エクソソーム単離試薬としては、検体からエクソソームを単離できる試薬であれば特に制限はなく、例えば前述のエクソソーム単離キット等が挙げられる。
【００９４】
５．膵臓疾患患者において、膵臓癌と膵臓癌以外の膵臓疾患とを鑑別するための試薬
本発明の、膵臓疾患患者において、膵臓癌と膵臓癌以外の膵臓疾患とを鑑別するための試薬は、エクソソームが有するＥＰＳ８測定試薬を含有することを特徴とする試薬であり、本発明の、腎臓疾患患者において、膵臓癌と膵臓癌以外の膵臓疾患とを鑑別する方法に用いることができる。
【００９５】
また、本発明の、膵臓疾患患者において、膵臓癌と膵臓癌以外の膵臓疾患とを鑑別するための試薬には、さらに、膵臓疾患患者より採取された検体中の、エクソソームが有するＥＰＳ８濃度が、膵臓癌以外の膵臓疾患患者の検体中のエクソソームが有するＥＰＳ８濃度より高い場合には、該膵臓疾患患者は膵臓癌に罹患している可能性が高く、膵臓癌以外の膵臓疾患患者の検体中のエクソソームが有するＥＰＳ８濃度と同じか又は低い場合には、該膵臓疾患患者は膵臓癌以外の膵臓疾患に罹患している可能性が高い、という基準が記載された基準表が含まれていてもよい。
【００９６】
本発明の、膵臓疾患患者において、膵臓癌と膵臓癌以外の膵臓疾患とを鑑別するための試薬における、エクソソームが有するＥＰＳ８測定試薬は、前述のエクソソームが有するＥＰＳ８の測定方法に使用される試薬である。エクソソームが有するＥＰＳ８測定試薬としては、検体中のエクソソームが有するＥＰＳ８を測定し得る試薬であれば特に制限はなく、例えば免疫学的測定試薬等が挙げられる。免疫学的測定試薬としては、例えば前述の免疫学的測定方法に基づく試薬等が挙げられる。
免疫学的測定法に基づいた、エクソソームが有するＥＰＳ８測定試薬の具体的態様を以下に示す。
【００９７】
・測定試薬７
ＥＰＳ８に結合する抗体又は該抗体断片を含む試薬。
・測定試薬８
標識が結合した、ＥＰＳ８に結合する抗体又は該抗体断片を含む試薬。
・測定試薬９
ＥＰＳ８に結合する抗体又は該抗体断片、及び、エクソソーム特異的抗原に結合する抗体又は該抗体断片を含む試薬。
・測定試薬１０
固相に固定化された、ＥＰＳ８に結合する抗体又は該抗体断片、及び、標識が結合した、エクソソーム特異的抗原に結合する抗体又は該抗体断片を含む試薬。
・測定試薬１１
固相に固定化された、エクソソーム特異的抗原に結合する抗体又は該抗体断片、及び、標識が結合した、ＥＰＳ８に結合する抗体又は該抗体断片を含む試薬。
・測定試薬１２
固相に固定化された、ＥＰＳ８に結合する第１抗体又は該抗体断片、及び、標識が結合した、ＥＰＳ８に結合する第２抗体又は該抗体断片を含む試薬。
【００９８】
ＥＰＳ８に結合する抗体又は該抗体断片、及び、エクソソーム特異的抗原に結合する抗体又は該抗体断片としては、それぞれ前述のＥＰＳ８に結合する抗体又は該抗体断片、及び、エクソソーム特異的抗原に結合する抗体又は該抗体断片等が挙げられる。
標識が結合した、ＥＰＳ８に結合する抗体又は該抗体断片、及び、標識が結合した、エクソソーム特異的抗原に結合する抗体又は該抗体断片における標識としては、例えば前述の標識等が挙げられる。標識が結合した、ＥＰＳ８に結合する抗体又は該抗体断片、及び、標識が結合した、エクソソーム特異的抗原に結合する抗体又は該抗体断片の調製は、例えば公知の標識化抗体の調製方法に従って行うことができる。
固相に固定化された、ＥＰＳ８に結合する抗体又は該抗体断片、及び、固相に固定化された、エクソソーム特異的抗原に結合する抗体又は該抗体断片における固相としては、例えば前述の固相等が挙げられる。ＥＰＳ８に結合する抗体又は該抗体断片の固相への固定化、及び、エクソソーム特異的抗原に結合する抗体又は該抗体断片の固相への固定化は、例えば公知の方法に従って行うことができる。
測定試薬１２において、ＥＰＳ８に結合する第１抗体又は該抗体断片が結合するエピトープと、ＥＰＳ８に結合する第２抗体又は該抗体断片が結合するエピトープは異なっていても同じでもよいが、異なっている方が好ましい。
前記測定試薬７〜１２には、さらにエクソソーム単離試薬が含まれていてもよい。エクソソーム単離試薬としては、検体からエクソソームを単離できる試薬であれば特に制限はなく、例えば前述のエクソソーム単離キット等が挙げられる。
【００９９】
６．被検者が膵臓癌に罹患している可能性をモニタリングするための試薬
本発明の、被検者が膵臓癌に罹患している可能性をモニタリングするための試薬は、エクソソームが有するＥＰＳ８測定試薬を含有することを特徴とする試薬であり、本発明の、被検者が膵臓癌に罹患している可能性をモニタリングする方法に用いることができる。
【０１００】
また、本発明の、被検者が膵臓癌に罹患している可能性をモニタリングするための試薬には、さらに、被検者より経時的に採取された検体中の、エクソソームが有するＥＰＳ８濃度が、健常者の検体中のエクソソームが有するＥＰＳ８濃度より高い濃度で維持されている場合には、該被検者は膵臓癌に罹患している可能性が高く、健常者の検体中のエクソソームが有するＥＰＳ８濃度と同じか又は低い濃度で維持されている場合には、該被検者は膵臓癌に罹患している可能性が低い、という基準が記載された基準表が含まれていてもよい。
【０１０１】
本発明の、被検者が膵臓癌に罹患している可能性をモニタリングするための試薬における、エクソソームが有するＥＰＳ８測定試薬は、前述のエクソソームが有するＥＰＳ８の測定方法に使用される試薬である。エクソソームが有するＥＰＳ８測定試薬としては、検体中のエクソソームが有するＥＰＳ８を測定し得る試薬であれば特に制限はなく、例えば免疫学的測定試薬等が挙げられる。免疫学的測定試薬としては、例えば前述の免疫学的測定方法に基づく試薬等が挙げられる。
免疫学的測定法に基づいた、エクソソームが有するＥＰＳ８測定試薬の具体的態様を以下に示す。
【０１０２】
・測定試薬１３
ＥＰＳ８に結合する抗体又は該抗体断片を含む試薬。
・測定試薬１４
標識が結合した、ＥＰＳ８に結合する抗体又は該抗体断片を含む試薬。
・測定試薬１５
ＥＰＳ８に結合する抗体又は該抗体断片、及び、エクソソーム特異的抗原に結合する抗体又は該抗体断片を含む試薬。
・測定試薬１６
固相に固定化された、ＥＰＳ８に結合する抗体又は該抗体断片、及び、標識が結合した、エクソソーム特異的抗原に結合する抗体又は該抗体断片を含む試薬。
・測定試薬１７
固相に固定化された、エクソソーム特異的抗原に結合する抗体又は該抗体断片、及び、標識が結合した、ＥＰＳ８に結合する抗体又は該抗体断片を含む試薬。
・測定試薬１８
固相に固定化された、ＥＰＳ８に結合する第１抗体又は該抗体断片、及び、標識が結合した、ＥＰＳ８に結合する第２抗体又は該抗体断片を含む試薬。
【０１０３】
ＥＰＳ８に結合する抗体又は該抗体断片、及び、エクソソーム特異的抗原に結合する抗体又は該抗体断片としては、それぞれ前述のＥＰＳ８に結合する抗体又は該抗体断片、及び、エクソソーム特異的抗原に結合する抗体又は該抗体断片等が挙げられる。
標識が結合した、ＥＰＳ８に結合する抗体又は該抗体断片、及び、標識が結合した、エクソソーム特異的抗原に結合する抗体又は該抗体断片における標識としては、例えば前述の標識等が挙げられる。標識が結合した、ＥＰＳ８に結合する抗体又は該抗体断片、及び、標識が結合した、エクソソーム特異的抗原に結合する抗体又は該抗体断片の調製は、例えば公知の標識化抗体の調製方法に従って行うことができる。
固相に固定化された、ＥＰＳ８に結合する抗体又は該抗体断片、及び、固相に固定化された、エクソソーム特異的抗原に結合する抗体又は該抗体断片における固相としては、例えば前述の固相等が挙げられる。ＥＰＳ８に結合する抗体又は該抗体断片の固相への固定化、及び、エクソソーム特異的抗原に結合する抗体又は該抗体断片の固相への固定化は、例えば公知の方法に従って行うことができる。
測定試薬１８において、ＥＰＳ８に結合する第１抗体又は該抗体断片が結合するエピトープと、ＥＰＳ８に結合する第２抗体又は該抗体断片が結合するエピトープは異なっていても同じでもよいが、異なっている方が好ましい。
前記測定試薬１３〜１８には、さらにエクソソーム単離試薬が含まれていてもよい。エクソソーム単離試薬としては、検体からエクソソームを単離できる試薬であれば特に制限はなく、例えば前述のエクソソーム単離キット等が挙げられる。
【０１０４】
また、上記各発明において、「エクソソームが有するＥＰＳ８の濃度」とは、タンパク質レベルの濃度、すなわち、ＥＰＳ８の濃度だけでなく、遺伝子レベルの濃度であってもよい。遺伝子レベルでの「エクソソームが有するＥＰＳ８の濃度」の測定方法としては、ＥＰＳ８遺伝子を増幅可能なプライマーセット、又はＥＰＳ８遺伝子のｍＲＮＡに特異的にハイブリダイズするプローブを用いた測定方法が挙げられる。
【０１０５】
（プライマーセット）
ＥＰＳ８遺伝子を増幅可能なプライマーセットとは、ＥＰＳ８遺伝子のｍＲＮＡをＲＴ−ＰＣＲ等により増幅することができるものであれば特に制限されない。
例えば、被検者の組織等を試料に用い、本プライマーセットを用いたＲＴ−ＰＣＲ等を行うことにより、試料中の、ＥＰＳ８遺伝子のｍＲＮＡを検出することができる。
【０１０６】
（プローブ）
プローブとしては、ＥＰＳ８遺伝子のｍＲＮＡに特異的にハイブリダイズするものであれば特に限定されない。プローブは、担体上に固定されてＤＮＡマイクロアレイ等を構成していてもよい。「エクソソームが有するＥＰＳ８の濃度」を測定する工程は、上述したプライマーセットを用いたＲＴ−ＰＣＲ、定量的ＲＴ−ＰＣＲ等により行うことができる。あるいは、上述したプローブを用いたＤＮＡマイクロアレイ解析、ノーザンブロッティング等により、ＥＰＳ８遺伝子の発現量を測定してもよい。ここで、測定したＥＰＳ８遺伝子の発現量は、段階希釈した既知濃度の各遺伝子の断片等を基準に用いて定量値に換算してもよい。担体としては、例えば前述の担体等が挙げられる。
【実施例】
【０１０７】
以下、実施例により本発明を説明するが、本発明はこの実施例に限定されるものではない。
【０１０８】
[実施例１]
各血清中のエクソソームが有するＥＰＳ８の検出
健常人から採取した血清（4検体）、膵炎患者から採取した血清（4検体）、及び膵臓癌患者から採取した血清（4検体：ステージＩＩＡが2種類、ステージＩＩＢが１種類、ステージＩＩＩが１種類）を、スイングロータにて100,000×ｇ以上で（4 ℃）で70分間超遠心分離後、上清を捨てて、PBSを加えて沈殿させ、この沈殿画分をエクソソーム画分とした。このエクソソーム画分をPBS（総量100 μL）で溶解した。１wellにつき血清100μL相当量のエクソソーム画分溶液に、該溶液と1/3量の4×サンプルバッファー（4%ドデシル硫酸ナトリウム、10% スクロース、0.01％ ブロモフェノールブルー、10％ 2-メルカプトエタノールを含む、0.125 mol/L トリス緩衝液［pH6.8］）を加えて混合し、95℃で5分間保温した後、氷冷した。該処理液を、4-15％ミニプロティアンTGXゲル(バイオラッド社製)のウェルにアプライし、SDS-PAGEを行った。SDS-PAGE後のゲルをPVDF  メンブレンに転写した後、該メンブレンを、Nacalai  Blocking  One  solution［ナカライテスク社製］を用いて、室温(25℃)で1時間ブロッキングした。次に、室温(25℃)で1時間、一次抗体反応を行った（Purified Mouse Anti-EPS8 (15/EPS8) mouse monoclonal［日本ベクトン・ディッキンソン社製］  1:2000)。続いて室温(25℃)で1時間、二次抗体反応を行った（Mouse IgG HRP［GEヘルスケア社製］  1:5000）。最後に、ImmunoStar LD（和光純薬工業社製）を用いて発色反応（室温［25℃］5分）を行い、ブロッティング画像を撮影し、それぞれの血清中のエクソソームが有するＥＰＳ８のシグナルを検出した。ブロッティング画像の結果を図１に示す。
【０１０９】
また、上記方法に従い、Purified Mouse Anti-Human CD63（日本ベクトン・ディッキンソン社製、クローン：H5C6）を用いて、各血清中のエクソソームが有するCD63の発現量をウェスタンブロッティングにて評価した。その結果を図１に示す。
図１から明らかなように、膵臓癌患者において、該膵臓癌患者血清から単離したエクソソームが有するＥＰＳ８が高発現していることが判明した。
【０１１０】
[実施例２]
健常人から採取した血清（10検体）、膵炎患者から採取した血清（10検体）、及び膵臓癌患者から採取した血清（23検体）を用いて、それぞれの血清中のエクソソームが有するＥＰＳ８濃度を比較するため、実施例１の方法に従い、それぞれの血清中のエクソソームが有するＥＰＳ８及びＣＤ６３のシグナルを検出した。ＥＰＳ８／ＣＤ６３のシグナル比を図２に示す。
図２から明らかなように、健常人から採取した血清中の、エクソソームが有するＥＰＳ８濃度に比べ、膵臓癌患者から採取した血清中の、エクソソームが有するＥＰＳ８濃度が高値であることが判明した。また、膵炎患者から採取した血清中の、エクソソームが有するＥＰＳ８濃度に比べ、膵臓癌患者から採取した血清中の、エクソソームが有するＥＰＳ８濃度が高値であることが判明した。
【０１１１】
［実施例３］
膵臓癌患者（５症例）について、手術前と手術後における、それぞれの血清中のエクソソームが有するＥＰＳ８量を比較するため、実施例１の方法に従い、ウェスタンブロット法で評価した。ブロッティング画像の結果を図３に示す。
図３から明らかなように、手術後の患者血清中の、エクソソームが有するＥＰＳ８の量が低下していることが判明した。
【０１１２】
［実施例４］
再発した膵臓癌患者の血清中のエクソソーム、又は健常人血清中のエクソソームが有するＥＰＳ８の量を比較するため、実施例１の方法に従い、ウェスタンブロット法によりシグナルを検出した。また、同時に、抗CD9抗体（8A12）（コスモバイオ社製）をビオチン化したビオチン化抗CD9抗体（1000倍希釈）及びHRP結合ストレプトアビジン (CST社製)（2000倍希釈）を用いて、それぞれの血清中のエクソソームが有するＣＤ９の量を、ウェスタンブロット法により検出した。ＥＰＳ８のシグナル及びＣＤ９のシグナルから算出した、ＥＰＳ８／ＣＤ９のシグナル比を図４に示す。
図４から明らかなように、健常人の血清中の、エクソソームが有するＥＰＳ８の量と比較して、再発した膵臓癌患者の血清中の、エクソソームが有するＥＰＳ８の量の方が高値であることが判明した。
【産業上の利用可能性】
【０１１３】
本発明の、被検者が膵臓癌に罹患している可能性を試験するための方法及び試薬、膵臓癌と膵臓癌以外の膵臓疾患とを鑑別するための方法及び試薬、並びに被検者が膵臓癌に罹患している可能性をモニタリングするための方法及び試薬は、臨床診断において有用である。
【図１】
2018112496.tif 000003
【図２】
2018112496.tif 000004
【図３】
2018112496.tif 000005
【図４】
2018112496.tif 000006